(57)【特許請求の範囲】
【請求項１】
CoMP伝送における非周期フィードバックのトリガー方法であって、
基地局がユーザ装置（UE）に、動的制御情報（DCI)及び予め構成された前記DCIに対応するフィードバックセットを送信し、UEが、前記DCI及び前記DCIに対応するフィードバックセットに基づいて、対応するチャネル状態情報の非周期フィードバックを行うことを含み、
予め構成された前記DCIに対応するフィードバックセットは、トリガーされた伝送点又は非ゼロパワーのCSI-RSに基づいて分類され、又は構成されたCSIに基づいて分類され、又は干渉類型に基づいて分類される、方法。
【請求項２】
請求項1に記載の方法であって、
前記DCIは、format  O又はformat  4におけるCSIリクエストフィールドのうちの1ビット又は2ビット情報を再利用し、
前記DCIが1ビット情報である時に、前記フィードバックセットは、DCI情報1に対応する１つのフィードバックセットであり、
前記DCIが2ビット情報である時に、前記フィードバックセットは、DCI情報01、10、11にそれぞれ対応する３つのフィードバックセットであり、又は前記フィードバックセットは、DCI情報10、11にそれぞれ対応する２つのフィードバックセットである、方法。
【請求項３】
請求項1に記載の方法であって、
前記フィードバックセットが、トリガーされた伝送点又は非ゼロパワーのCSI-RSに基づいて分類される場合、各フィードバックセットは、トリガーする必要がある伝送点に対応するCSIセット、又は非ゼロパワーのCSI-RSに対応するCSIセットを指示するために用いられる、方法。
【請求項４】
請求項2に記載の方法であって、
前記フィードバックセットは、無線リソース制御（RRC)シグナリングのNビットのビットマップにより指示され、そのうち、Nは、CoMP伝送の測定セットのサイズである、方法。
【請求項５】
請求項2に記載の方法であって、更に、
基地局がUEに、予め構成された、各非ゼロパワーのCSI-RSに対してフィードバックする必要がある干渉仮設を送信し、UEがさらに前記干渉仮設に基づいて、対応するチャネル状態情報の非周期フィードバックを行うことを含む、方法。
【請求項６】
請求項1に記載の方法であって、
前記フィードバックセットが、構成されたCSIに基づいて分類される場合、各フィードバックセットは、トリガーする必要があるCSIセットを指示するために用いられる、方法。
【請求項７】
請求項6に記載の方法であって、
前記フィードバックセットは、RRCシグナリングのMビットのビットマップにより指示され、そのうち、Mは、基地局が非周期フィードバックのために構成したCSIセットのサイズである、方法。
【請求項８】
請求項1に記載の方法であって、
前記フィードバックセットが、干渉類型に基づいて分類される場合、各フィードバックセットは、可能な干渉類型に対応するCSIセットを指示するために用いられる、方法。
【請求項９】
請求項8に記載の方法であって、
前記フィードバックセットは、RRCシグナリングの2(N-1)ビットにより指示され、そのうち、Nは、CoMP伝送の測定セットのサイズである、方法。
【請求項１０】
ユーザ装置（UE）のチャネル状態情報（CSI)の非周期フィードバックをトリガーするために用いられる基地局であって、
UEに、1ビット又は2ビットの動的制御情報（DCI)及びRRCシグナリングにより予め構成された前記DCIに対応するフィードバックセットを送信するための送信ユニットであって、UEは、前記DCI及び前記DCIに対応するフィードバックセットに基づいて、対応するチャネル状態情報の非周期フィードバックを行う、送信ユニットを含み、
RRCシグナリングにより予め構成された前記DCIに対応するフィードバックセットは、トリガーされた伝送点又は非ゼロパワーのCSI-RSに基づいて分類され、又は構成されたCSIに基づいて分類され、又は干渉類型に基づいて分類され、
1ビットのDCIに対応するフィードバックセットは１つであり、2ビットのDCIに対応するフィードバックセットは３つ又は２つである、基地局。
【請求項１１】
ユーザ装置（UE)であって、
基地局により送信された1ビット又は2ビットのDCI及びRRCシグナリングにより予め構成された前記DCIに対応するフィードバックセットを受信するための受信ユニット；及び
前記DCI及び前記DCIに対応するフィードバックセットに基づいて、対応するチャネル状態情報の非周期フィードバックを行うための報告ユニットを含み、
RRCシグナリングにより予め構成された前記DCIに対応するフィードバックセットは、トリガーされた伝送点又は非ゼロパワーのCSI-RSに基づいて分類され、又は構成されたCSIに基づいて分類され、又は干渉類型に基づいて分類され、
1ビットのDCIに対応するフィードバックセットは１つであり、2ビットのDCIに対応するフィードバックセットは３つ又は２つである、UE。
【発明の詳細な説明】
【技術分野】
【０００１】
本発明は、通信システム中の伝送技術に関し、より具体的に言えば、LTE-Aシステム中のCoMP伝送の非周期フィードバックをサポートするトリガー方法及び装置に関する。
【背景技術】
【０００２】
LTE-A(Long  Term  Evolution-Advanced）システムでは、CoMP(Coordinated  Multiple  Points)伝送技術が、セルの境界にあるユーザのパフォーマンスを増強すると同時に、セルの平均スループットを向上させるために導入されている。LTE-A  11では、下りCoMP技術は、次の３種類の方案、即ち、ジョイント伝送（Joint  Transmission、JT)、動的伝送点選択（Dynamic  Point  Selection)、協調スケジューリング/ビーム形成（Coordinated  Scheduling/Beamforming)に対して標準化を行う。リンク自己適応伝送を正確に行え、CoMP伝送の利得を有効に取得し得るために、ユーザ側（UE、User  Equipment)は、異なる伝送の仮設（想定）に対して、正確なPMI(Preceding  Matrix  Indicator）/CQI(Channel  Quality  Indication）/RI(Rank  Indication）情報をフィードバックする必要がある。3GPP  RAN1  67会議では、少なくとも、各々のCSI-RS(Channel  State  Indication-RS）リソースをサポートするフィードバック方案が決定されている。3GPP  RAN1  68会議では、CoMP測定セット（measurement  set）が最大で３つのCSI-RSリソースをサポートすることが決定されている。移動局が実際の処理能力により制限されるので、具体的なCSI報告の数がさらに制限されることがある。実際上、フィードバックのコストと、システムのパフォーマンス利得との折衷が存在する。比較的多いフィードバック情報は、システムがCoMP伝送の利得を取得するのに有利である。一方、それは、上りフィードバックのコストをも増大させてしまう。
【０００３】
LTE  Rel.10システムでは、周期及び非周期フィードバック方式は、基地局に異なる粒度のフィードバック情報を提供し、システムのパフォーマンスを向上させるために用いられる。非周期フィードバックは、フィードバックの容量が大きく、時間遅延が小さいとの利点を有し、CoMPのフィードバックのニーズを満たすことができる。よって、有効なトリガーメカニズムを設計し、CoMP伝送中の非周期フィードバックをサポートする必要がある。
【０００４】
今のところ、非周期フィードバックは、DCI(Dynamic  Control  Information）によりトリガーされる。ユーザ装置にマルチキャリア伝送が構成されない時に、DCI  format  0又はDCI  format  4中の1ビットのCSIリクエストフィールドを採用して、対応するモードの非周期報告をトリガーし；ユーザ装置にマルチキャリア伝送が構成されている時に、DCI  format  0又はDCI  format  4中の2ビットのCSIリクエストフィールドを採用して、対応するモードの非周期報告をトリガーする。表1に示すように、そのうち、00は、報告をトリガーしないことを表し；01は、プライマリキャリアの非周期報告をトリガーすることを表し；10及び11は、上位層により構成されたセット1及びセット2の報告をトリガーすることを表す。そのうち、セット1及びセット2は、上位層シグナリングにより構成され、該上位層シグナリングは、8ビットのビットマップ情報により、8個のサブキャリアのうちのどれかを報告する必要があるとのことを示す。今のところ、LTE-Aシステムでは、最大で5個のサブキャリアをサポートし得るので、実際には、最大で5個のビットが1に設定され、即ち、1に設定されるビットに対応するサブキャリアを報告する必要がある。また、非周期報告が共通サーチ空間でトリガーされるときに、DCI情報の長さのニーズを満たすために、1ビットのみのシグナリングによるトリガーをサポートする。ユーザ装置にマルチキャリア伝送が構成されているときに、キャリア再構成が共通サーチ空間を用いてDCI情報を伝送する重要なシナリオであることを考慮することにより、1ビットのトリガーするシグナリングが1に設定される時に、上り非周期フィードバックのキャリアのトリガーに対応する下りキャリア（システム情報ブロック2に定義される。）のCSI情報のみがフィードバックされる。表１には、CSIフィールドの意味が示されている。
【表１】
0006288165.tif 000002
【０００５】
発明者は、本発明の実現過程で次のようなことを発見した。即ち、ユーザ装置がフィードバックするCSI情報は、Rank  Indication(RI）、Precoding  Matrix  Indication(PMI）、Channel  Quality  Indication(CQI)情報を含む。基地局が各CSIのために１つの非ゼロパワーCSI-RSリソース及び干渉部分測定リソースを構成し、ユーザは、これらのリソースを用いてCSIを測定して報告する。CoMP伝送では、複数のCSI情報（異なる伝送点及び干渉仮設に対応する）を報告する必要があるので、フィードバックのコスト（ロード）がとても大きい。
【０００６】
なお、上述の背景技術についての紹介は、本発明の技術案を明確且つ完全に説明し、当業者がそれを容易に理解し得るためだけのものである。これらの技術案は、本発明の背景技術の部分に説明されているから当業者にとって周知であると思われてはいけない。
【発明の概要】
【発明が解決しようとする課題】
【０００７】
本発明の実施例の目的は、CoMP伝送過程又はCoMP及びCAの組み合わせ伝送過程で各CSIのフィードバックによるシステムの動的シグナリングのロードが過大である問題を解決するために、CoMP伝送の非周期フィードバックのトリガー方法及び装置を提供することにある。
【課題を解決するための手段】
【０００８】
本発明の実施例の一側面によれば、CoMP伝送中の非周期フィードバックのトリガー方法が提供され、そのうち、前記方法は、
基地局がUEに、動的制御情報（DCI)及び予め構成された、前記DCIに対応するフィードバックセットを送信し、これにより、UEが前記DCI及び前記DCIに対応するフィードバックセットに基づいて、対応するチャネル状態情報の非周期フィードバックを行うことを含み、
そのうち、予め構成された、前記DCIに対応するフィードバックセットは、トリガーされた伝送点又は非ゼロパワーのCSI-RSに基づいて分類され；又は、構成されたCSIに基づいて分類され；又は、干渉類型に基づいて分類される。
【０００９】
本発明の実施例の一側面によれば、CoMP伝送中の非周期フィードバックのトリガー方法が提供され、そのうち、前記方法は、
ユーザ装置（UE)が、基地局により送信されたDCI及び予め構成された、前記DCIに対応するフィードバックセットを受信し；及び、
UEが、前記DCI及び前記DCIに対応するフィードバックセットに基づいて、対応するチャネル状態情報の非周期フィードバックを行うことを含み、
そのうち、予め構成された、前記DCIに対応するフィードバックセットは、トリガーされた伝送点又は非ゼロパワーのCSI-RSに基づいて分類され；又は、構成されたCSIに基づいて分類され；又は、干渉類型に基づいて分類される。
【００１０】
本発明の実施例の一側面によれば、CoMP伝送中の非周期フィードバックのトリガー方法が提供され、そのうち、前記方法は、
基地局がUEに、第一DCI及び予め構成された、前記第一DCIに対応するフィードバックセットを送信し、これにより、UEが、前記第一DCI及び前記第一DCIに対応するフィードバックセットに基づいて、対応するキャリアアグリゲーション（CA)のチャネル状態情報の非周期フィードバックを行い；及び、
基地局がUEに、第二DCI及び予め構成された、前記第二DCIに対応するフィードバックセットを送信し、これにより、UEが前記第二DCI及び前記第二DCIに対応するフィードバックセットに基づいて、対応するCoMP伝送のチャネル状態情報の非周期フィードバックを行うことを含み；
そのうち、予め構成された、前記第二DCIに対応するフィードバックセットは、トリガーされた伝送点又は非ゼロパワーのCSI-RSに基づいて分類され；又は、構成されたCSIに基づいて分類され；又は、干渉類型に基づいて分類される。
【００１１】
本発明の実施例の一側面によれば、CoMP伝送中の非周期フィードバックのトリガー方法が提供され、そのうち、前記方法は、
UEが、基地局により送信されたた第一DCI及び予め構成された、前記第一DCIに対応するフィードバックセットを受信し；
UEが、前記第一DCI及び前記第一DCIに対応するフィードバックセットに基づいて、対応するCAのチャネル状態情報の非周期フィードバックを行い；
UEが、基地局により送信された第二DCI及び予め構成された、前記第二DCIに対応するフィードバックセットを受信し；及び、
UEが、前記第二DCI及び前記第二DCIに対応するフィードバックセットに基づいて、対応するCoMPのチャネル状態情報の非周期フィードバックを行うことを含み、
そのうち、予め構成された、前記第二DCIに対応するフィードバックセットは、トリガーされた伝送点又は非ゼロパワーのCSI-RSに基づいて分類され；又は、構成されたCSIに基づいて分類され；又は、干渉類型に基づいて分類される。
【００１２】
本発明の実施例の一側面によれば、CoMP伝送中の非周期フィードバックのトリガー方法が提供され、そのうち、前記方法は、
基地局がUEに、DCI及び予め構成された、前記DCIに対応するフィードバックセットを送信し、これにより、UEが前記DCI及び前記DCIに対応するフィードバックセットに基づいて、対応するCA及びCoMPのチャネル状態情報の非周期フィードバックを行うことを含み、
そのうち、予め構成された、前記DCIに対応するフィードバックセットは、トリガーされた伝送点又は非ゼロパワーのCSI-RSに基づいて分類され；又は、構成されたCSIに基づいて分類され、
そのうち、予め構成された、前記DCIに対応するフィードバックセットは、RRCシグナリングにより指示され、前記RRCシグナリングは、各々のトリガーされた伝送点又は各々の構成されたCSIに対応するキャリア指示ビットを含む。
【００１３】
本発明の実施例の一側面によれば、CoMP伝送中の非周期フィードバックのトリガー方法が提供され、そのうち、前記方法は、
UEが、基地局により送信されたDCI及び予め構成された、前記DCIに対応するフィードバックセットを受信し；及び、
UEが、前記DCI及び前記DCIに対応するフィードバックセットに基づいて、対応するCA及びCoMPのチャネル状態情報の非周期フィードバックを行うことを含み、
そのうち、予め構成された、前記DCIに対応するフィードバックセットは、トリガーされた伝送点又は非ゼロパワーのCSI-RSに基づいて分類され；又は、構成されたCSIに基づいて分類され、
そのうち、予め構成された、前記DCIに対応するフィードバックセットは、RRCシグナリングにより指示され、前記RRCシグナリングは、各々のトリガーされた伝送点又は各々の構成されたCSIに対応するキャリア指示ビットを含む。
【００１４】
本発明の実施例の一側面によれば、CoMP伝送中の非周期フィードバックのトリガー方法が提供され、そのうち、前記方法は、
基地局がUEに、DCI及び予め構成された、前記DCIに対応するフィードバックセットを送信し、これにより、UEが前記DCI及び前記DCIに対応するフィードバックセットに基づいて、対応するCA及びCoMPのチャネル状態情報の非周期フィードバックを行うことを含み、
そのうち、予め構成された、前記DCIに対応するフィードバックセットは、トリガーされた伝送点又は非ゼロパワーのCSI-RSに基づいて分類され；又は、構成されたCSIに基づいて分類され、
そのうち、予め構成された、前記DCIに対応するフィードバックセットは、RRCシグナリングにより指示され、前記RRCシグナリングは、構成された又はアクティブにされたキャリアを指示するためのキャリア指示ビット、及び、各々の構成された又はアクティブにされたキャリアに対応する、トリガーされたTPを指示するためのTP指示ビット又は構成されたCSIを指示するためのCSI指示ビットを含み；又は、前記RRCシグナリングは、構成された又はアクティブにされたキャリアを指示するためのキャリア指示ビット、及び、各々のトリガーされたTP又は構成されたCSIに対応することを指示するためのキャリア指示ビットを含む。
【００１５】
本発明の実施例の一側面によれば、CoMP伝送中の非周期フィードバックのトリガー方法が提供され、そのうち、前記方法は、
UEが、基地局により送信されたたDCI及び予め構成された、前記DCIに対応するフィードバックセットを受信し；及び、
UEが、前記DCI及び前記DCIに対応するフィードバックセットに基づいて、対応するCA及びCoMPのチャネル状態情報の非周期フィードバックを行うことを含み、
そのうち、予め構成された、前記DCIに対応するフィードバックセットは、トリガーされた伝送点又は非ゼロパワーのCSI-RSに基づいて分類され；又は、構成されたCSIに基づいて分類され、
そのうち、予め構成された、前記DCIに対応するフィードバックセットは、RRCシグナリングにより指示され、前記RRCシグナリングは、構成された又はアクティブにされたキャリアを指示するためのキャリア指示ビット、及び、各々の構成された又はアクティブにされたキャリアに対応する、トリガーされたTPを指示するためのTP指示ビット又は構成されたCSIを指示するためのCSI指示ビットを含み；又は、前記RRCシグナリングは、構成された又はアクティブにされたキャリアを指示するためのキャリア指示ビット、及び、各々のトリガーされたTP又は構成されたCSIに対応することを指示するためのキャリア指示ビットを含む。
【００１６】
本発明の実施例の一側面によれば、CoMP伝送中の非周期フィードバックのトリガー方法が提供され、そのうち、前記方法は、
基地局がUEに、DCI及び予め構成された、前記DCIに対応するフィードバックセットを送信し、これにより、UEが前記DCI及び前記DCIに対応するフィードバックセットに基づいて、対応するCA及びCoMPのチャネル状態情報の非周期フィードバックを行うことを含み、
そのうち、予め構成された、前記DCIに対応するフィードバックセットは、トリガーされた伝送点又は非ゼロパワーのCSI-RSに基づいて分類され；又は、構成されたCSIに基づいて分類され；
そのうち、予め構成された、前記DCIに対応するフィードバックセットは、RRCシグナリングにより指示され、前記RRCシグナリングは、トリガーされた非周期フィードバックのキャリアを指示するためのキャリア指示ビット、及び、各々のトリガーされたキャリアに対応する、トリガーされたTPを指示するためのTP指示ビット又は構成されたCSIを指示するためのCSI指示ビットを含み；又は、前記RRCシグナリングは、トリガーされた非周期フィードバックのキャリアを指示するためのキャリア指示ビット、及び、各々のトリガーされたTP又は構成されたCSIに対応することを指示するためのキャリア指示ビットを含む。
【００１７】
本発明の実施例の一側面によれば、CoMP伝送中の非周期フィードバックのトリガー方法が提供され、そのうち、前記方法は、
UEが、基地局により送信されたDCI、及び、予め構成された、前記DCIに対応するフィードバックセットを受信し；及び、
UEが、前記DCI及び前記DCIに対応するフィードバックセットに基づいて、対応するCA及びCoMPのチャネル状態情報の非周期フィードバックを行うことを含み、
そのうち、予め構成された前記DCIに対応するフィードバックセットは、トリガーされた伝送点又は非ゼロパワーのCSI-RSに基づいて分類され；又は、構成されたCSIに基づいて分類され；
そのうち、予め構成された、前記DCIに対応するフィードバックセットは、RRCシグナリングにより指示され、前記RRCシグナリングは、トリガーされた非周期フィードバックのキャリアを指示するためのキャリア指示ビット、及び、トリガーされたキャリアに対応する、トリガーされたTPを指示するためのTP指示ビット又は構成されたCSIを指示するためのCSI指示ビットを含み；又は、前記RRCシグナリングは、トリガーされた非周期フィードバックのキャリアを指示するためのキャリア指示ビット、及び、各々のトリガーされたTP又は構成されたCSIに対応することを指示するためのキャリア指示ビットを含む。
【００１８】
本発明の実施例の一側面によれば、CoMP伝送中の非周期フィードバックのトリガー方法が提供され、そのうち、前記方法は、
基地局がUEに、DCI及び予め構成された、前記DCIに対応するフィードバックセットを送信し、これにより、UEが前記DCI及び前記DCIに対応するフィードバックセットに基づいて、対応するCA及びCoMPのチャネル状態情報の非周期フィードバックを行うことを含み、
そのうち、予め構成された、前記DCIに対応するフィードバックセットは、トリガーされた伝送点又は非ゼロパワーのCSI-RSに基づいて分類され；又は、構成されたCSIに基づいて分類され；
そのうち、予め構成された前記DCIに対応するフィードバックセットは、RRCシグナリングにより指示され、前記RRCシグナリングは、トリガーされたキャリアを指示するためのキャリア指示ビット、及び、すべてのトリガーされたキャリアに対応するフィードバック内容を指示するためのTP指示ビット又はCSI指示ビットを含む。
【００１９】
本発明の実施例の一側面によれば、CoMP伝送中の非周期フィードバックのトリガー方法が提供され、そのうち、前記方法は、
UEが、基地局により送信されたDCI及び予め構成された、前記DCIに対応するフィードバックセットを受信し；及び
UEが、前記DCI及び前記DCIに対応するフィードバックセットに基づいて、対応するCA及びCoMPのチャネル状態情報の非周期フィードバックを行うことを含み、
そのうち、予め構成された、前記DCIに対応するフィードバックセットは、トリガーされた伝送点又は非ゼロパワーのCSI-RSに基づいて分類され；又は、構成されたCSIに基づいて分類され；
そのうち、予め構成された前記DCIに対応するフィードバックセットは、RRCシグナリングにより指示され、前記RRCシグナリングは、トリガーされたキャリアを指示するためのキャリア指示ビット、及び、すべてのトリガーされたキャリアに対応するフィードバック内容を指示するためのTP指示ビット又はCSI指示ビットを含む。
【００２０】
本発明の実施例の一側面によれば、CoMP伝送中の非周期フィードバックのトリガー方法が提供され、そのうち、前記方法は、
基地局がUEに、動的制御情報（DCI)を送信し、これにより、UEが、前記DCI及び予め設定された、前記DCIに対応するフィードバック約定情報に基づいて、対応するチャネル状態情報の非周期フィードバックを行うことを含み、
そのうち、予め設定された、前記DCIに対応するフィードバック約定情報は、第１個の非ゼロパワーCSI-RSリソースのすべてのCSIのフィードバック、又は、非周期フィードバックCSIセットのうちの第１個のCSIのフィードバック、又は、トリガーされた非周期フィードバックCSIセットのうちの第１個のCSIを含む。
【００２１】
本発明の実施例の一側面によれば、CoMP伝送中の非周期フィードバックのトリガー方法が提供され、そのうち、前記方法は、
UEが、基地局により送信された動的制御情報（DCI)を受信し;及び、
UEが、前記DCI及び予め設定された、前記DCIに対応するフィードバック約定情報に基づいて、対応するチャネル状態情報の非周期フィードバックを行うことを含み、
そのうち、予め設定された、前記DCIに対応するフィードバック約定情報は、第１個の非ゼロパワーCSI-RSリソースのすべてのCSIのフィードバック、又は、非周期フィードバックCSIセットのうちの第１個のCSIのフィードバック、又は、トリガーされた非周期フィードバックCSIセットのうちの第１個のCSIのフィードバックである。
【００２２】
本発明の実施例の一側面によれば、CoMP伝送中の非周期フィードバックのトリガー方法が提供され、そのうち、前記方法は、
基地局がUEに、動的制御情報（DCI)及び予め構成されたアンカーCSIリソースを送信し、これにより、UEが、前記DCI及び前記アンカーCSIに基づいて、対応するチャネル状態情報の非周期フィードバックを行うことを含み、
そのうち、前記アンカーCSIリソースは、１つの非ゼロパワーのCSI-RSに対応する少なくとも１つのCSIリソース、又は、非周期フィードバックCSIセットのうちの少なくとも１つのCSIリソースであり；
そのうち、予め構成されたアンカーCSIリソースは、RRCシグナリングにより指示され、前記RRCシグナリングは、前記アンカーCSIリソースを指示するためのlog2(N)個のビット、又は、N個のビット、又は、log2(M)個のビット、又は、M個のビットを含み、そのうち、Nは、CoMP測定セットの大小であり、Mは、基地局により非周期フィードバックのために構成されたCSIセットの大小であり；
そのうち、前記RRCシグナリングがNビット又はMビットにより前記アンカーCSIリソースを指示するときに、ビットマップの形式で指示を行う。
【００２３】
本発明の実施例の一側面によれば、CoMP伝送中の非周期フィードバックのトリガー方法が提供され、そのうち、前記方法は、
UEが、基地局により送信された動的制御情報（DCI)及び予め構成されたアンカーCSIリソースを受信し；及び、
UEが、前記DCI及び前記アンカーCSIリソースに基づいて、対応するチャネル状態情報の非周期フィードバックを行うことを含み、
そのうち、前記アンカーCSIリソースは、１つの非ゼロパワーのCSI-RSに対応する少なくとも１つのCSIリソース、又は、非周期フィードバックのCSIセットのうちの少なくとも１つのCSIリソースであり；
そのうち、予め構成されたアンカーCSIリソースは、RRCシグナリングにより指示され、前記RRCシグナリングは、前記アンカーCSIリソースを指示するためのlog2(N)個のビット、又は、N個のビット、又は、log2(M)個のビット、又は、M個のビットを含み、そのうち、Nは、CoMP測定セットの大小であり、Mは、基地局により非周期フィードバックのために構成されたCSIセットの大小であり；
そのうち、前記RRCシグナリングがNビット又はMビットにより前記アンカーCSIリソースを指示するときに、ビットマップの形式で指示を行う。
【００２４】
本発明の実施例の一側面によれば、基地局が提供され、前記基地局は、UEのチャネル状態情報（CSI)の非周期フィードバックをトリガーするために用いられ、そのうち、前記基地局は、
UEに、1ビット又は2ビットの動的制御情報（DCI)及びRRCシグナリングにより予め構成された前記DCIに対応するフィードバックセットを送信するための送信ユニットであって、UEは、前記DCI及び前記DCIに対応するフィードバックセットに基づいて、対応するチャネル状態情報の非周期フィードバックを行う、送信ユニットを含み、
そのうち、RRCシグナリングにより予め構成された、前記DCIに対応するフィードバックセットは、トリガーされた伝送点又は非ゼロパワーのCSI-RSに基づいて分類され；又は、構成されたCSIに基づいて分類され；又は、干渉類型に基づいて分類され；
そのうち、1ビットのDCIに対応するフィードバックセットは１つであり、2ビットのDCIに対応するフィードバックセットは３つ又は２つである。
【００２５】
本発明の実施例の一側面によれば、ユーザ装置（UE)が提供され、そのうち、前記UEは、
基地局により送信された1ビット又は2ビットのDCI、及び、RRCシグナリングにより予め構成された、前記DCIに対応するフィードバックセットを受信するための受信ユニット；及び、
前記DCI及び前記DCIに対応するフィードバックセットに基づいて、対応するチャネル状態情報の非周期フィードバックを行うための報告ユニット；
そのうち、RRCシグナリングにより予め構成された前記DCIに対応するフィードバックセットは、トリガーされた伝送点又は非ゼロパワーのCSI-RSに基づいて分類され；又は、構成されたCSIに基づいて分類され；又は、干渉類型に基づいて分類され；
そのうち、1ビットのDCIに対応するフィードバックセットは１つであり、2ビットのDCIに対応するフィードバックセットは３つ又は２つである。
【００２６】
本発明の実施例の一側面によれば、基地局が提供され、前記基地局は、UEのチャネル状態情報（CSI)の非周期フィードバックをトリガーするために用いられ、そのうち、前記基地局は、
UEに、1ビット又は2ビットの第一DCI及びRRCシグナリングにより予め構成された、前記第一DCIに対応するフィードバックセットを送信するための第一送信ユニットであって、UEは、前記第一DCI及び前記第一DCIに対応するフィードバックセットに基づいて、対応するキャリアアグリゲーション（CA)のチャネル状態情報の非周期フィードバックを行う、第一送信ユニット；及び、
UEに、1ビット又は2ビットの第二DCI及びRRCシグナリングにより予め構成された、前記第二DCIに対応するフィードバックセットを送信するための第二送信ユニットであって、UEは、前記第二DCI及び前記第二DCIに対応するフィードバックセットに基づいて、対応するCoMP伝送（CoMP)のチャネル状態情報の非周期フィードバックを行う、第二送信ユニットを含み、
そのうち、RRCシグナリングにより予め構成された前記第二DCIに対応するフィードバックセットは、トリガーされた伝送点又は非ゼロパワーのCSI-RSに基づいて分類され；又は、構成されたCSIに基づいて分類され；又は、干渉類型に基づいて分類され；
そのうち、1ビットの第一DCIに対応するフィードバックセットは１つであり、1ビットの第二DCIに対応するフィードバックセットは１つであり、2ビットの第一DCIに対応するフィードバックセットは、３つ又は２つであり、2ビットの第二DCIに対応するフィードバックセットは、３つ又は２つである。
【００２７】
本発明の実施例の一側面によれば、UEが提供され、そのうち、前記UEは、
基地局により送信された1ビット又は2ビットの第一DCI、及び、RRCシグナリングにより予め構成された前記第一DCIに対応するフィードバックセットを受信するための第一受信ユニット；及び、
前記第一DCI及び前記第一DCIに対応するフィードバックセットに基づいて、対応するCAのチャネル状態情報の非周期フィードバックを行うための第一報告ユニット；
基地局により送信された1ビット又は2ビットの第二DCI及び予め構成された前記第二DCIに対応するフィードバックセットを受信するための第二受信ユニット；及び、
前記第二DCI及び前記第二DCIに対応するフィードバックセットに基づいて、対応するCoMPのチャネル状態情報の非周期フィードバックを行うための第二報告ユニットを含み、
そのうち、予め構成された前記第二DCIに対応するフィードバックセットは、トリガーされた伝送点又は非ゼロパワーのCSI-RSに基づいて分類され；又は、構成されたCSIに基づいて分類され；又は、干渉類型に基づいて分類され;
そのうち、1ビットの第一DCIに対応するフィードバックセットは１つであり、1ビットの第二DCIに対応するフィードバックセットは１つであり、2ビットの第一DCIに対応するフィードバックセットは、３つ又は２つであり、2ビットの第二DCIに対応するフィードバックセットは、３つ又は２つである。
【００２８】
本発明の実施例の一側面によれば、基地局が提供され、前記基地局は、UEのCSIの非周期フィードバックをトリガーするために用いれ、そのうち、前記基地局は、
UEに、2ビットのDCI及びRRCシグナリングにより予め構成された前記DCIに対応するフィードバックセットを送信するための送信ユニットであって、UEが、前記DCI及び前記DCIに対応するフィードバックセットに基づいて、対応するCA及びCoMPのチャネル状態情報の非周期フィードバックを行う、送信ユニットを含み、
そのうち、予め構成された前記DCIに対応するフィードバックセットは、トリガーされた伝送点又は非ゼロパワーのCSI-RSに基づいて分類され；又は、構成されたCSIに基づいて分類され；
そのうち、予め構成された前記DCIに対応するフィードバックセットは、RRCシグナリングにより指示され、前記RRCシグナリングは、各々のトリガーされた伝送点又は各々の構成されたCSIに対応することを指示するためのキャリア指示ビットを含み、
そのうち、2ビットのDCIに対応するフィードバックセットは３つ又は２つである。
【００２９】
本発明の実施例の一側面によれば、UEが提供され、そのうち、前記UEは、
基地局により送信された2ビットのDCI及びRRCシグナリングにより予め構成された前記DCIに対応するフィードバックセットを受信するための受信ユニット；及び、
前記DCI及び前記DCIに対応するフィードバックセットに基づいて、対応するCA及びCoMPのチャネル状態情報の非周期フィードバックを行うための報告ユニットを含み、
そのうち、予め構成された前記DCIに対応するフィードバックセットは、トリガーされた伝送点又は非ゼロパワーのCSI-RSに基づいて分類され；又は、構成されたCSIに基づいて分類され；
そのうち、予め構成された前記DCIに対応するフィードバックセットは、RRCシグナリングにより指示され、前記RRCシグナリングは、各々のトリガーされた伝送点又は各々の構成されたCSIに対応するキャリア指示ビットを含み；
そのうち、2ビットのDCIに対応するフィードバックセットは３つ又は２つである。
【００３０】
本発明の実施例の一側面によれば、基地局が提供され、前記基地局は、UEのCSIの非周期フィードバックをトリガーするために用いられ、そのうち、前記基地局は、
UEに、2ビットのDCI及びRRCシグナリングにより予め構成された前記DCIに対応するフィードバックセットを送信するための送信ユニットであって、UEは、前記DCI及び前記DCIに対応するフィードバックセットに基づいて、対応するCA及びCoMPのチャネル状態情報の非周期フィードバックを行う、送信ユニットを含み、
そのうち、予め構成された前記DCIに対応するフィードバックセットは、トリガーされた伝送点又は非ゼロパワーのCSI-RSに基づいて分類され；又は、構成されたCSIに基づいて分類され；
そのうち、予め構成された前記DCIに対応するフィードバックセットは、RRCシグナリングにより指示され、前記RRCシグナリングは、構成された又はアクティブにされたキャリアを指示するためのキャリア指示ビット、及び、各々の構成された又はアクティブにされたキャリアに対応する、トリガーされたTPを指示するためのTP指示ビット又は構成されたCSIを指示するためのCSI指示ビットを含み；又は、前記RRCシグナリングは、構成された又はアクティブにされたキャリアを指示するためのキャリア指示ビット、及び、各々のトリガーされたTPに対応する又は各々の構成されたCSIに対応することを指示するためのキャリア指示ビットを含み、
そのうち、2ビットのDCIに対応するフィードバックセットは３つ又は２つである。
【００３１】
本発明の実施例の一側面によれば、UEが提供され、そのうち、前記UEは、
信基地局により送信された2ビットのDCI及びRRCシグナリングにより予め構成された前記DCIに対応するフィードバックセットを受信するための受信ユニット；及び、
前記DCI及び前記DCIに対応するフィードバックセットに基づいて、対応するCA及びCoMPのチャネル状態情報の非周期フィードバックを行うための報告ユニットを含み、
そのうち、予め構成された前記DCIに対応するフィードバックセットは、トリガーされた伝送点又は非ゼロパワーのCSI-RSに基づいて分類され；又は、構成されたCSIに基づいて分類され；
そのうち、予め構成された前記DCIに対応するフィードバックセットは、RRCシグナリングにより指示され、前記RRCシグナリングは、構成された又はアクティブにされたキャリアを指示するためのキャリア指示ビット、及び、各々の構成された又はアクティブにされたキャリアに対応する、トリガーされたTPのTP指示ビット又は構成されたCSIのCSI指示ビットを含み；又は、前記RRCシグナリングは、構成された又はアクティブにされたキャリアを指示するためのキャリア指示ビット、及び、各々のトリガーされたTP又は構成されたCSIに対応することを指示するためのキャリア指示ビットを含み；
そのうち、2ビットのDCIに対応するフィードバックセットは３つ又は２つである。
【００３２】
本発明の実施例の一側面によれば、基地局が提供され、前記基地局は、UEのCSIの非周期フィードバックをトリガーするために用いられ、そのうち、前記基地局は、
UEに、2ビットのDCI及びRRCシグナリングにより予め構成された前記DCIに対応するフィードバックセットを送信するための送信ユニットであって、UEは、前記DCI及び前記DCIに対応するフィードバックセットに基づいて、対応するCA及びCoMPのチャネル状態情報の非周期フィードバックを行う、送信ユニットを含み、
そのうち、予め構成された前記DCIに対応するフィードバックセットは、トリガーされた伝送点又は非ゼロパワーのCSI-RSに基づいて分類され；又は、構成されたCSIに基づいて分類され；
そのうち、予め構成された前記DCIに対応するフィードバックセットは、RRCシグナリングにより指示され、前記RRCシグナリングは、トリガーされた非周期フィードバックのキャリアを指示するためのキャリア指示ビット、及び、各々のトリガーされたキャリアに対応する、トリガーされたTPのTP指示ビット又は構成されたCSIのCSI指示ビットを含み；又は、前記RRCシグナリングは、トリガーされた非周期フィードバックのキャリアを指示するためのキャリア指示ビット、及び、各々のトリガーされたTPに対応する又は各々の構成されたCSIに対応することを指示するためのキャリア指示ビットを含み；
そのうち、2ビットのDCIに対応するフィードバックセットは３つ又は２つである。
【００３３】
本発明の実施例の一側面によれば、UEが提供され、そのうち、前記UEは、
基地局により送信された2ビットのDCI及びRRCシグナリングにより予め構成された前記DCIに対応するフィードバックセットを受信するための受信ユニット；及び、
前記DCI及び前記DCIに対応するフィードバックセットに基づいて、対応するCA及びCoMPのチャネル状態情報の非周期フィードバックを行うための報告ユニットを含み、
そのうち、予め構成された前記DCIに対応するフィードバックセットは、トリガーされた伝送点又は非ゼロパワーのCSI-RSに基づいて分類され；又は、構成されたCSIに基づいて分類され；
そのうち、予め構成された前記DCIに対応するフィードバックセットは、RRCシグナリングにより指示され、前記RRCシグナリングは、トリガーされた非周期フィードバックのキャリアを指示するためのキャリア指示ビット、及び、トリガーされたキャリアに対応する、トリガーされたTPのTP指示ビット又は構成されたCSIのCSI指示ビットを含み；又は、前記RRCシグナリングは、トリガーされた非周期フィードバックのキャリアを指示するためのキャリア指示ビット、及び、各々のトリガーされたTP又は構成されたCSIに対応することを指示するためのキャリア指示ビットを含み、
そのうち、2ビットのDCIに対応するフィードバックセットは３つ又は２つである。
【００３４】
本発明の実施例の一側面によれば、基地局が提供され、前記基地局は、UEのCSIの非周期フィードバックをトリガーするために用いられ、そのうち、前記基地局は、
UEに、2ビットのDCI及びRRCシグナリングにより予め構成された前記DCIに対応するフィードバックセットを送信する送信ユニットであって、UEは、前記DCI及び前記DCIに対応するフィードバックセットに基づいて、対応するCA及びCoMPのチャネル状態情報の非周期フィードバックを行う、送信ユニットを含み、
そのうち、予め構成された前記DCIに対応するフィードバックセットは、トリガーされた伝送点又は非ゼロパワーのCSI-RSに基づいて分類され；又は、構成されたCSIに基づいて分類され；
そのうち、予め構成された前記DCIに対応するフィードバックセットは、RRCシグナリングにより指示され、前記RRCシグナリングは、トリガーされたキャリアを指示するためのキャリア指示ビット、及び、すべてのトリガーされたキャリアに対応するフィードバック内容を指示するためのTP指示ビット又はCSI指示ビットを含み、
そのうち、2ビットのDCIに対応するフィードバックセットは３つ又は２つである。
【００３５】
本発明の実施例の一側面によれば、UEが提供され、そのうち、前記UEは、
基地局により送信された2ビットのDCI及びRRCシグナリングにより予め構成された前記DCIに対応するフィードバックセットを受信するための受信ユニット；及び、
前記DCI及び前記DCIに対応するフィードバックセットに基づいて、対応するCA及びCoMPのチャネル状態情報の非周期フィードバックを行うための報告ユニットを含み、
そのうち、予め構成された前記DCIに対応するフィードバックセットは、トリガーされた伝送点又は非ゼロパワーのCSI-RSに基づいて分類され；又は、構成されたCSIに基づいて分類され；
そのうち、予め構成された前記DCIに対応するフィードバックセットは、RRCシグナリングにより指示され、前記RRCシグナリングは、トリガーされたキャリアを指示するためのキャリア指示ビット、及び、すべてのトリガーされたキャリアに対応するフィードバック内容を指示するためのTP指示ビット又はCSI指示ビットを含み、
そのうち、2ビットのDCIに対応するフィードバックセットは３つ又は２つである。
【００３６】
本発明の実施例の一側面によれば、基地局が提供され、前記基地局は、UEのCSIの非周期フィードバックをトリガーするために用いられ、そのうち、前記基地局は、
UEに、1ビットのDCIを送信するための送信ユニットであって、UEは、前記DCI及び予め設定された、前記DCIに対応するフィードバック約定情報に基づいて、対応するチャネル状態情報の非周期フィードバックを行う、送信ユニットを含み、
そのうち、予め設定された、前記DCIに対応するフィードバック約定情報は、第１個の非ゼロパワーCSI-RSリソースのすべてのCSIのフィードバック、又は、非周期フィードバックCSIセットのうちの第１個のCSIのフィードバック、又は、トリガーされた非周期フィードバックCSIセットのうちの第１個のCSIのフィードバックである。
【００３７】
本発明の実施例の一側面によれば、UEが提供され、そのうち、前記UEは、
基地局により送信された1ビットのDCIを受信するための受信ユニット;及び
前記DCI及び予め設定された、前記DCIに対応するフィードバック約定情報に基づいて、対応するチャネル状態情報の非周期フィードバックを行うための報告ユニットを含み、
そのうち、予め設定された、前記DCIに対応するフィードバック約定情報は、第１個の非ゼロパワーCSI-RSリソースのすべてのCSIのフィードバック、又は、非周期フィードバックCSIセットのうちの第１個のCSIのフィードバック、又は、トリガーされた非周期フィードバックCSIセットのうちの第１個のCSIのフィードバックである。
【００３８】
本発明の実施例の一側面によれば、基地局が提供され、前記基地局は、UEのCSIの非周期フィードバックをトリガーするために用いられ、そのうち、前記基地局は、
UEに、1ビットのDCI及びRRCシグナリングにより予め構成されたアンカーCSIリソースを送信するための送信ユニットであって、UEは、前記DCI及び前記アンカーCSIに基づいて、対応するチャネル状態情報の非周期フィードバックを行う、送信ユニットを含み、
そのうち、予め構成されたアンカーCSIリソースは１つであり、非ゼロパワーのCSI-RS対応の少なくとも１つのCSIリソース、又は、非周期フィードバックのCSIセットのうちの少なくとも１つのCSIリソースであり；
そのうち、予め構成されたアンカーCSIリソースは、RRCシグナリングにより指示され、前記RRCシグナリングは、前記アンカーCSIリソースを指示するためのlog2(N)個のビット、又は、N個のビット、又は、log2(M)個のビット、又は、M個のビットを含み、Nは、CoMP測定セットの大小であり、Mは、基地局により非周期フィードバックのために構成されたのCSIセットの大小であり；
そのうち、前記RRCシグナリングがNビット又はMビットによりアンカーCSIリソースを指示するときに、ビットマップの形式で指示を行う。
【００３９】
本発明の実施例の一側面によれば、UEが提供され、そのうち、前記UEは、
基地局により送信された1ビットのDCI及び上位層シグナリングにより予め構成されたアンカーCSIリソースを受信するための受信ユニット；及び、
前記DCI及び前記アンカーCSIリソースに基づいて、対応するチャネル状態情報の非周期フィードバックを行うための報告ユニットを含み、
そのうち、予め構成されたアンカーCSIリソースは１つであり、非ゼロパワーのCSI-RS対応の少なくとも１つのCSIリソース、又は、非周期フィードバックのCSIセットのうちの少なくとも１つのCSIリソースであり；
そのうち、予め構成されたアンカーCSIリソースは、RRCシグナリングにより指示され、前記RRCシグナリングは、前記アンカーCSIリソースを指示するためのlog2(N)個のビット、又は、N個のビット、又は、log2(M)個のビット、又は、M個のビットを含み、そのうち、Nは、測定セットの大小であり、Mは、基地局により非周期フィードバック構成されたCSIセットの大小であり；
そのうち、前記RRCシグナリングがNビット又はMビットにより前記アンカーCSIリソースを指示するときに、ビットマップの形式で指示を行う。
【００４０】
本発明の実施例の一側面によれば、コンピュータ可読プログラムが提供され、そのうち、基地局中で該プログラムを実行する時に、該プログラムは、コンピュータに、前記基地局中で、前述の基地局中で行われるCoMP伝送中の非周期フィードバックのトリガー方法を実行させる。
【００４１】
本発明の実施例の一側面によれば、コンピュータ可読プログラムを記憶した記憶媒体が提供され、そのうち、該コンピュータ可読プログラムは、コンピュータに、基地局中で、前述の基地局中で行われるCoMP伝送中の非周期フィードバックのトリガー方法を実行させる。
【００４２】
本発明の実施例の一側面によれば、コンピュータ可読プログラムが提供され、そのうち、端末装置中で該プログラムを実行する時に、該プログラムは、コンピュータに、前記端末装置中で、前述のUE中で行われるCoMP伝送中の非周期フィードバックのトリガー方法を実行させる。
【００４３】
本発明の実施例の一側面によれば、コンピュータ可読プログラムを記憶した記憶媒体が提供され、そのうち、該コンピュータ可読プログラムは、コンピュータに、端末装置中で、前述のUE中で行われるCoMP伝送中の非周期フィードバックのトリガー方法を実行させる。
【００４４】
本発明の実施例の有益な効果は、次のようなことにあり、即ち、本発明の実施例による非周期フィードバックのトリガー方法及び装置により、異なるトリガー内容が提案されており、CSIをトリガー内容とするトリガー方式は、一番良い柔軟性を有する。異なるトリガー内容については、異なるシグナリング設計が詳細に提案されている。CoMP及びCAのジョイント伝送を考慮することにより、ジョイントされたトリガー情報の指示方法が提案されている。システムに基づいてユーザ装置のために構成されたキャリア数により、RRCシグナリングのロードを更に低減することができる。また、共通サーチ空間の特徴を考慮することにより、２種類の非周期トリガー方法が、非周期報告を有効にトリガーするために提案されている。
【００４５】
後述の説明及び図面により、本発明の特定の実施形態を詳細に開示しており、本発明の原理を採用し得る形態を明確にしている。なお、理解すべきは、本発明の実施形態は、範囲上では、それらに限定されないとのことである。また、添付した特許請求の範囲の精神及び技術的範囲内では、本発明の実施形態は、あらゆる変更、変形及び代替によるものをも含む。
【００４６】
また、１つの実施形態について説明した及び／又は示した特徴は、同じ又は類似する方式で、１つ以上の他の実施形態に使用し、他の実施形態における特徴と組み合わせ、又は、他の実施形態における特徴を置換することもできる。
【００４７】
また、強調すべきは、「包括／含む」のような用語は、本文に使用される時に、特徴、装置（全体）、ステップ又はアセンブリの存在を指すが、１つ又は複数の他の特徴、装置（全体）、ステップ又はアセンブリの存在又は付加を排除しないことをも指すとのことである。
【図面の簡単な説明】
【００４８】
以下の図面を参照することにより本発明の多くの側面をより良く理解することができる。図中の部品は、比例して描かれたものではなく、本発明の原理を示すだけのものである。発明の一部を便利に示す又は説明するために、図中の対応する部分は、拡大又は縮小されることがある。本発明の１つの図面又は１つの実施形態に記載の要素及び特徴は、１つ又は複数の他の図面又は実施形態に記載の要素及び特徴と組み合わせることができる。また、図中では、類似する符号が、幾つかの図中の対応する部品を示し、また、１つ以上の実施形態に使用される、対応する部品を示すためにも用いられ得る。
【図１】本発明の実施例1における、CoMP伝送シナリオの下でユーザサーチ空間において非周期フィードバックをトリガーするCoMP伝送中の非周期フィードバックのトリガー方法のフローチャートである。
【図２】（a）及び（b）は、実施例1の方法におけるRRCシグナリングの構成図である。
【図３】本発明の実施例2における、実施例1の方法に対応するUE側の処理フローチャートである。
【図４】本発明の実施例3における、CoMP及びCAの組み合わせのシナリオの下でユーザサーチ空間において非周期フィードバックをトリガーするCoMP伝送中の非周期フィードバックのトリガー方法のフローチャートである。
【図５】本発明の実施例4における、実施例3の方法に対応するUEの処理フローチャートである。
【図６】本発明の実施例における、CoMP及びCAの組み合わせのシナリオの下でユーザサーチ空間において非周期フィードバックをトリガーするCoMP伝送中の非周期フィードバックのトリガー方法のフローチャートである。
【図７】（a）及び（b）は、実施例5の方法におけるRRCシグナリングの構成図である。
【図８】本発明の実施例6における、実施例5の方法に対応するUE側の処理フローチャートである。
【図９】本発明の実施例7における、CoMP及びCAの組み合わせのシナリオの下でユーザサーチ空間において非周期フィードバックをトリガーするCoMP伝送中の非周期フィードバックのトリガー方法のフローチャートである。
【図１０】（a）及び（b）は、実施例8におけるRRCシグナリングの構成図である。
【図１１】本発明の実施例8における、実施例7の方法に対応するUE側の処理フローチャートである。
【図１２】本発明の実施例9における、CoMP及びCAの組み合わせのシナリオの下でユーザサーチ空間において非周期フィードバックをトリガーするCoMP伝送中の非周期フィードバックのトリガー方法のフローチャートである。
【図１３】（a）及び（b）は、実施例11におけるRRCシグナリングの構成図である。
【図１４】本発明の実施例10における、実施例9の方法に対応するUE側の処理フローチャートである。
【図１５】本発明の実施例11における、CoMP及びCAの組み合わせのシナリオの下でユーザサーチ空間において非周期フィードバックをトリガーするCoMP伝送中の非周期フィードバックのトリガー方法のフローチャートである。
【図１６】（a）及び（b）は、実施例11におけるRRCシグナリングの構成図である。
【図１７】本発明の実施例12における、実施例11の方法に対応するUE側の処理フローチャートである。
【図１８】本発明の実施例13における、共通サーチ空間において非周期フィードバックをトリガーするCoMP伝送中の非周期フィードバックのトリガー方法のフローチャートである。
【図１９】本発明の実施例14における、実施例13の方法に対応するUE側の処理フローチャートである。
【図２０】本発明の実施例15における、共通サーチ空間において非周期フィードバックをトリガーするCoMP伝送中の非周期フィードバックのトリガー方法のフローチャートである。
【図２１】本発明の実施例16における、実施例15の方法に対応するUE側のフローチャートである。
【図２２】本発明の実施例における、実施例1に対応する基地局の構成図である。
【図２３】本発明の実施例における、実施例2に対応するUEの構成図である。
【図２４】本発明の実施例における、実施例3に対応する基地局の構成図である。
【図２５】本発明の実施例における、実施例4に対応するUEの構成図である。
【図２６】本発明の実施例における、実施例5に対応する基地局の構成図である。
【図２７】本発明の実施例における、実施例6に対応するUEの構成図である。
【図２８】本発明の実施例における、実施例7に対応する基地局の構成図である。
【図２９】本発明の実施例における、実施例8に対応するUEの構成図である。
【図３０】本発明の実施例における、実施例9に対応する基地局の構成図である。
【図３１】本発明の実施例における、実施例10に対応するUEの構成図である。
【図３２】本発明の実施例における、実施例11に対応する基地局の構成図である。
【図３３】本発明の実施例における、実施例12に対応するUEの構成図である。
【図３４】本発明の実施例における、実施例13に対応する基地局の構成図である。
【図３５】本発明の実施例における、実施例14に対応するUEの構成図である。
【図３６】本発明の実施例における、実施例15に対応する基地局の構成図である。
【図３７】本発明の実施例における、実施例16に対応するUEの構成図である。
【発明を実施するための形態】
【００４９】
図面及び次の説明を参照することにより、本発明の実施例の前述及び他の特徴は、より明らかになる。また、これらの実施形態は、例示だけであり、本発明を限定するものではない。当業者が本発明の原理及び実施形態を容易に理解し得るために、本発明の実施形態は、LTE-AシステムにおけるCoMP伝送中の非周期フィードバックのトリガー方法を例として説明を行っているが、理解すべきは、本発明の実施例は上述のシステムに限定されず、非周期フィードバックのトリガーに関する他のシステムにも適用し得るとのことである。
【００５０】
以下の実施例では中、DCI及び上位層シグナリングの組み合わせの方法をそのまま用い、これにより、非周期フィードバックのトリガーの柔軟性と、シグナリングのロードの大小（サイズ）との良い折衷を取得することができる。本発明の実施例における方法をより分かりやすくするために、以下、異なる応用シナリオ、例えば、ユーザサーチ空間でのトリガーのシナリオ（CoMP伝送シナリオ、及び、CoMP及びCAの組み合わせのシナリオ）及び共通サーチ空間でのトリガーのシナリオ（CoMP伝送シナリオ、及び、CoMP及びCAの組み合わせのシナリオ）に基づいて、本発明の各実施例における非周期フィードバックのトリガー方法について説明する。なお、各シナリオの下での非周期フィードバックのトリガー方法は、独立したものではなく、例えば、CoMP及びCAの組み合わせのシナリオでは、CoMP伝送シナリオにおけるトリガー方法を用いることがあり、CoMP伝送シナリオにおける共通サーチ空間でのトリガー方法では、ユーザサーチ空間でのトリガー方法を用いることもある。以下、それぞれ、説明する。
【００５１】
＜ユーザサーチ空間で非周期フィードバックをトリガーするCoMP伝送シナリオ＞
LTE-Aシステムでは、CoMP伝送をサポートするために、異なる伝送点及び干渉仮設の下でのCSI情報をフィードバックする必要がある。フィードバックの柔軟性と、シグナリングのロードとの折衷を得るために、本発明の実施例は、動的DCI及び上位層RRCシグナリングの組み合わせの方法を採用する。
【００５２】
実施例1
本発明の実施例は、CoMP伝送中の非周期フィードバックのトリガー方法を提供している。図1は、該方法のフローチャートである。図1に示すように、該方法は、次のステップを含む。
【００５３】
ステップ101:基地局がUEに、動的制御情報（DCI)及び予め構成された、前記DCIに対応するフィードバックセットを送信し、これにより、UEが前記DCI及び前記DCIに対応するフィードバックセットに基づいて、対応するチャネル状態情報の非周期フィードバックを行うことをトリガーする。
【００５４】
本実施例では、該非周期フィードバックがユーザサーチ空間でトリガーされるので、該DCIシグナリングは、DCI  format  O又はDCI  format  4のCSIリクエストフィールド中の2ビットの情報を再利用することができる。言い換えると、非周期性フィードバック（報告）がユーザサーチ空間でトリガーされる時に、基地局は、UEに2ビットのCSIリクエストシグナリング（DCI)を送信することにより、UEのCSI情報の非周期フィードバックをトリガーすることができる。一実施形態では、該2ビットのDCIは、00のとき、非周期報告をトリガーしないことを指示し；01、10、11のとき、それぞれ、上位層により構成されたフィードバックセット1、フィードバックセット2、フィードバックセット3の非周期報告をトリガーすることを指示する。他の実施形態では、該2ビットのDCIは、00のとき、非周期報告をトリガーしないことを指示し；01のとき、アンカーセル（プライマリーセル又は他の特定のシングルセル）のCSIの報告をトリガーすることを指示し；10、11のとき、それぞれ、上位層により構成されたフィードバックセット1、フィードバックセット2の非周期報告をトリガーすることを指示する。
【００５５】
本実施例では、DCIの各非全ゼロビット、例えば、01、10、11に対応して、基地局は、予め、それ相応のフィードバックセット、即ち、上述のフィードバックセット1又はフィードバックセット2又はフィードバックセット3を構成し、これにより、UEは、受信したDCIのビットにより指示される内容及び対応するフィードバックセットに基づいて、それ相応のCSIの非周期フィードバックを行う。
【００５６】
本実施例では、周期フィードバックCSIセットが非周期フィードバックCSIセットのサブセットである場合、基地局は、直接、上位層シグナリング（RRCシグナリング）によって１つのCSIセットを構成することにより、周期及び非周期CSIフィードバックの指示を実現することができ、そのうち、非周期CSIフィードバックは、このセットを直接使用する。非周期フィードバックCSIセットが周期フィードバックCSIセットを含むことができない場合、基地局は、上位層シグナリングによってジョイントフィードバックに必要なCSIセットを構成する必要があるのみならず、上位層シグナリングによって非周期フィードバックのためにCSIセットを構成する必要もある。この時に、上述の予め構成された、前記DCIに対応するフィードバックセットは、上位層が非周期フィードバックのために構成したCSIセットから選択される。
【００５７】
そのうち、予め構成された、前記DCIに対応するフィードバックセットは、トリガーされた伝送点又は非ゼロパワーのCSI-RSに基づいて分類されてもよく、構成されたCSIに基づいて分類されてもよく、干渉類型に基づいて分類されてもよい。
【００５８】
一実施例では、フィードバックセットは、トリガーされた伝送点（TP)又は非ゼロパワーのCSI-RSに基づいて分類される。そうすると、本実施例では、各フィードバックセットは、トリガーする必要がある伝送点又は非ゼロパワーのCSI-RSに対応するCSIセットを指示するために用いられ、例えば、フィードバックセット1、2、3は、それぞれ、トリガーされた伝送点又は非ゼロパワーCSI-RSに対応するCSIセットを示す。本実施例では、CoMP測定セットの大小がNであるとすると、該フィードバックセットは、無線リソース制御（RRC)シグナリングのNビットのビットマップによって指示されても良く、そのうち、トリガーされた伝送点は、該Nビットのビットマップ中で1に設定される。N=3を例とし、即ち、CoMP測定セットの大小が3である場合、CoMP伝送を行える伝送点が３つ有り、仮にフィードバックセット1中で２つの伝送点がトリガーされたとすると、該RRCシグナリングの3ビットのビットマップ中で、この２つの伝送点に対応するビットは、図２の(a)に示すように、1に設定されている。
【００５９】
本実施例では、各非ゼロパワーのCSI-RSは、異なる干渉仮設に対応する可能性があるため、それは、複数のCSI情報を含むことがある。よって、本実施例では、非ゼロパワーのCSI-RSに基づいて、フィードバックセットに対して分類を行ってもよく、即ち、該フィードバックセットは、報告可能な非周期フィードバックCSIセット中のすべての、非ゼロパワーのCSI-RSを含むCSI情報を指示している。
【００６０】
本実施例では、柔軟性を強化するために、基地局は更に、予め、各非ゼロパワーのCSI-RSに対して、フィードバックする必要がある干渉仮設を構成してもよく、これにより、UEは、該干渉仮設に基づいて、対応するチャネル状態情報の非周期フィードバックを行うことができる。該干渉仮設は、RRCシグナリングにより構成されてもよい。依然として、CoMP測定セットの大小がNであるのを例とし、本実施例では、2(Ν−１)個のビットのRRCシグナリングによって該干渉仮設を構成してもよく、そのうち、ビットが1に設定されるのは、対応する干渉仮設の下でのCSI情報をフィードバックする必要があるとのことを意味する。
【００６１】
他の実施例では、フィードバックセットは、構成されたCSIに基づいて分類される。そうすると、本実施例では、各フィードバックセットは、トリガーする必要があるCSIセットを指示するために用いられる。例えば、フィードバックセット1、2、3は、それぞれ、トリガーする必要があるCSIセットを示す。
【００６２】
本実施例では、該フィードバックセットは、RRCシグナリングのΜビットのビットマップによって指示されてもよく、そのうち、Μは、基地局が非周期フィードバックのために構成したCSIセットの大小であり、ユーザが最大でサポートし得る非周期報告のCSIセットの大小であってもよい。例えば、Μ=5又は6である。そのうち、1に設定されるビットは、対応するCSI情報をフィードバックする必要があることを示し、Μ=5を例とし、該フィードバックセットの指示方式は、図2bに示すようである。このような分類方法により、非周期フィードバックを指示する粒度がより細かくなる。
【００６３】
他の実施例では、フィードバックセットは、干渉類型に基づいて分類される。そうすると、本実施例では、各フィードバックセットは、可能な干渉類型に対応するCSIセットを指示するために用いられる。例えば、フィードバックセット1、2、3は、それぞれ、可能な干渉類型の報告を示す。
【００６４】
本実施例では、依然として、CoMP測定セットの大小がNであるのを例とし、2（Ｎ-1）種類の可能な干渉類型が存在するので、該フィードバックセットは、2（Ｎ-1）個のビットのマップビットのRRCシグナリングによって指示されてもよく、それは、報告する必要がある干渉類型を示す。言い換えると、非周期フィードバックのCSIセットのうち、すべての、該フィードバックセットが指示した干渉類型を含むCSI(複数の非ゼロパワーのCSI-RSの仮設を含むCSI)を報告する必要がある。例えば、測定セットの大小が3であるCoMPセットについては、それぞれ、4ビットを採用して、セット1、2、3中の報告要のCSI情報を指示する必要がある。
【００６５】
以上の各実施例では、新しいRRCシグナリングを採用して、動的にトリガーされた非周期フィードバックのフィードバックセットを指示することができる。例えば、図2の（a）及び図2の（b）に示すようなRRCシグナリングであり；キャリアアグリゲーションシステム（CA)中の8ビットのRRC指示シグナリングを再利用して、動的にトリガーされた非周期フィードバックのCSIフィードバックセットを指示してもよく、本実施例は、これに限定されない。言い換えると、前述の分類方法に従ってフィードバックセットに対して分類し、そして、該分類方法に対応して、それ相応のビット数のRRCシグナリングを構成することによる該フィードバックセットの指示であれば、すべては、本発明の保護範囲に属する。
【００６６】
本実施例の方法で、UEの非周期フィードバックのトリガーを行うことにより、UEは、すべてのCSI情報（異なる伝送点及び干渉仮設条件に対応する複数のCSI情報）を報告する必要がなく、フィードバックセットが限定した条件に基づいて選択的に報告を行い；又は、トリガーされた伝送点に対応するCSIセットのみを報告し；又は、非ゼロパワーのCSI-RSに対応するCSIセットのみを報告し；又は、トリガーされたCSIセットのみを報告し；又は、幾つかの干渉類型に対応するCSIセットのみを報告することができる。これにより、CoMP伝送中で異なる伝送点及び干渉仮設に対応する複数のCSI情報を報告する必要があることによるフィードバックロードが大きいとの問題を解決でき、フィードバックの柔軟性と、システムのシグナリングロードとの良い折衷を実現することができる。
【００６７】
実施例2
本発明の実施例は更に、CoMP伝送中の非周期フィードバックのトリガー方法を提供し、該方法は、実施例1の方法に対応するUE側の処理である。図3は、該方法のフローチャートである。図3に示すように、該方法は、次のステップを含む。
【００６８】
ステップ301:ユーザ装置（UE)が、基地局により送信されたDCI及び予め構成された、前記DCIに対応するフィードバックセットを受信し；
ステップ302:UEが、前記DCI及び前記DCIに対応するフィードバックセットに基づいて、対応するチャネル状態情報の非周期フィードバックを行う。
【００６９】
本実施例では、DCIの指示方式、及び、フィードバックセットの分類方式及び指示方式は、実施例1とは同じであり、その内容はここに援用されるので、ここでは詳しい説明を省略する。
【００７０】
本実施例では、UEは、受信した基地局の送信したDCIに基づいて、フィードバックセットを確定し、そして、フィードバックセットが指示した内容に基づいて、対応するCSIの非周期フィードバックを行う。そのうち、DCIの2ビットの情報が00である場合、非周期報告をトリガーしないことを示すが、本発明の実施例は、非周期報告をトリガーすることについてのものであるので、以下の説明では、特段の説明がなければ、DCIの2ビットの情報が00である場合が含まれない。
【００７１】
本実施例では、DCIの2ビットの情報01、10、11が、それぞれ、上位層により構成されたフィードバックセット1、2、3をトリガーすることを表すとすると、UEが受信したIDCが10である場合、フィードバックセット2がトリガーされており、UEは、上位層により構成されたフィードバックセット2が指示した内容に基づいて、対応するCSI情報の非周期フィードバックを行う。例えば、上位層により構成されたフィードバックセット2が、RRCシグナリングのNビットのビットマップ（Nは、CoMP測定セットの大小である）によって、トリガーされた伝送点を指示していれば、UEは、トリガーされた伝送点に対応するCSIセットのみを報告し；上位層により構成されたフィードバックセット2が、RRCシグナリングのNビットのビットマップによって、非ゼロパワーのCSI-RSを指示していれば、UEは、非ゼロパワーのCSI-RSに対応するCSIセットのみを報告し；上位層により構成されたフィードバックセット2が、RRCシグナリングのMビットのビットマップ（Mは、上位層が非周期フィードバックのために構成したCSIセットの大小である）によって、トリガーされたCSIセットを指示していれば、UEは、トリガーされたCSIセットのみを報告し；上位層により構成されたフィードバックセット2が、RRCシグナリングの2(N-1)個のビットによって、報告する必要がある干渉類型を指示していれば、UEは、これらの干渉類型に対応するCSIセットのみを報告する。
【００７２】
本実施例の方法によれば、UEは、すべてのCSI情報（異なる伝送点及び干渉仮設条件に対応する複数のCSI情報）を報告する必要がなく、フィードバックセットが限定した条件に基づいて選択的に報告を行うことができ、これにより、CoMP伝送中で異なる伝送点及び干渉仮設に対応する複数のCSI情報を報告する必要があることによるフィードバックロードが大きいとの問題を解決でき、フィードバックの柔軟性と、システムのシグナリングロードとの良い折衷を実現することができる。
【００７３】
＜ユーザサーチ空間で非周期フィードバックをトリガーするCoMP及びCAの組み合わせのシナリオ＞
LTE-Aシステムでは、UEの伝送効率を向上させるために、キャリアアグリゲーション（CA)技術がCoMPと組み合わせて使用されることがある。本実施例では、独立した構成又はジョイントした構成により、UEのCSI非周期報告のトリガーを実現する。
【００７４】
実施例3
本発明の実施例は、CoMP伝送中の非周期フィードバックのトリガー方法を提供し、該方法は、独立した構成により、UEのCSI非周期報告のトリガーを実現する。図4は、該方法のフローチャートである。図4に示すように、該方法は、次のステップを含む。
【００７５】
ステップ401:基地局がUEに、第一DCI及び予め構成された、前記第一DCIに対応するフィードバックセットを送信し、これにより、UEが、該第一DCI及び該第一DCIに対応するフィードバックセットに基づいて、対応するキャリアアグリゲーション（CA)のチャネル状態情報の非周期フィードバックを行い；
ステップ402:基地局がUEに、第二DCI及び予め構成された、前記第二DCIに対応するフィードバックセットを送信し、これにより、UEが該第二DCI及び該第二DCIに対応するフィードバックセットに基づいて、対応するCoMP伝送(CoMP)のチャネル状態情報の非周期フィードバックを行う。
【００７６】
本実施例では、予め構成された、前記第二DCIに対応するフィードバックセットは、トリガーされた伝送点又は非ゼロパワーのCSI-RSに基づいて分類されてもよく、構成されたCSIに基づいて分類されてもよく、干渉類型に基づいて分類されてもよい。具体的な分類方式及びシグナリングの指示方式は、実施例1とは同じであり、その内容はここに援用され、ここでは詳しい説明を省略する。
【００７７】
一実施例では、第一DCI及び第二DCIは、それぞれ、1ビットの情報である。そうすると、本実施例の方法は、従来の2ビットのDCIシグナリングを再利用し、そのうち、１つのビット（第二DCI)は、CoMP非周期報告をトリガーするために用いられ、他のビット（第一DCI)は、CA非周期報告をトリガーするために用いられる。
【００７８】
例えば、Oxは、CoMP非周期報告をトリガーしないことを表し；lxは、RRCがCoMP非周期フィードバックのために構成したセット1をトリガーすることを表し;x0は、CA非周期報告をトリガーしないことを表し；xlは、RRCがCA非周期フィードバックのために構成したセット2をトリガーすることを表す。
【００７９】
他の実施例では、第一DCI及び第二DCIは、それぞれ、2ビットの情報である。そうすると、本実施例の方法は、2ビットのDCIシグナリングを追加することで、CoMPをトリガーし、また、元の2ビットのDCIシグナリングにより、CA非周期報告をトリガーする。
【００８０】
本実施例では、該第一DCI及び第二DCIの指示方式は、実施例1とは同じであり、例えば、00により、非周期フィードバックをトリガーしないことを指示し、01、10、11により、上位層の構成したフィードバックセット1、フィードバックセット2、フィードバックセット3の非周期フィードバックをトリガーすることを指示し；又は、11により、非周期フィードバックをトリガーしないことを指示し、01により、アンカーセル（プライマリーセル又は他の特定のシングルセル）のCSIの非周期フィードバックをトリガーすることを指示し、10、11により、上位層の構成したフィードバックセット1、フィードバックセット2の非周期フィードバックをトリガーすることを指示する。
【００８１】
本実施例では、第一DCIに対応するフィードバックセット及び第二DCIに対応するフィードバックセットは、ともに、実施例1の方法のように、RRCシグナリングにより構成されてもよく、その内容はここに援用されるので、ここでは詳しい説明を省略する。例えば、前記第一DCIに対応するフィードバックセットは、8ビットのRRCシグナリングによってり指示され、前記第二DCIに対応するフィードバックセットは、前記8ビットのRRCシグナリング中のアイドルビット又は新しく追加されたRRCシグナリング（図2（a）又は図2（b）のように)指示される。
【００８２】
本実施例の方法で、UEの非周期フィードバックをトリガーすることにより、CA及びCoMPのジョイント伝送中で、異なる伝送点及び干渉仮設に対応する複数のCSI情報を報告する必要があることによるフィードバックロードが大きいとの問題を解決でき、フィードバックの柔軟性と、システムのシグナリングロードとの良い折衷を実現することができる。
【００８３】
実施例4
本発明の実施例は更に、CoMP伝送中の非周期フィードバックのトリガー方法を提供し、該方法は、実施例3の方法に対応するUE側の処理である。図5は、該方法のフローチャートである。図5に示すように、該方法は、次のステップを含む。
【００８４】
ステップ501:UEが、基地局の送信した第一DCI及び予め構成された、前記第一DCIに対応するフィードバックセットを受信し；
ステップ502:UEが、該第一DCI及び該第一DCIに対応するフィードバックセットに基づいて、対応するCAのチャネル状態情報の非周期フィードバックを行い；
ステップ503:UEが、基地局の送信した第二DCI及び予め構成された、前記第二DCIに対応するフィードバックセットを受信し；
ステップ504:UEが、該第二DCI及び該第二DCIに対応するフィードバックセットに基づいて、対応するCoMPのチャネル状態情報の非周期フィードバックを行う。
【００８５】
本実施例では、第一DCI及び第二DCIの指示方式は、実施例3とは同じであり、その内容はここに援用され、ここでは詳しい説明を省略する。
【００８６】
本実施例では、予め構成された、前記第二DCIに対応するフィードバックセットは、トリガーされた伝送点又は非ゼロパワーのCSI-RSに基づいて分類されてもよく、構成されたCSIに基づいて分類されてもよく、報告する必要がある干渉類型に基づいて分類されてもよい。具体的なフィードバックセットの分類方式及びフィードバックセットのシグナリング指示方式は、実施例1とは同じであり、その内容はここに援用され、ここでは詳しい説明を省略する。
【００８７】
本実施例では、UEは、受信した基地局の送信した第一DCIに基づいて、該第一DCIに対応するフィードバックセットを確定し、そして、該第一DCIに対応するフィードバックセットが指示した内容に基づいて、対応するCAのCSIの非周期フィードバックを行う。また、UEは、受信した基地局の送信した第二DCIに基づいて、該第二DCIに対応するフィードバックセットを確定し、そして、該第二DCIに対応するフィードバックセットが指示した内容に基づいて、対応するCoMPのCSIの非周期フィードバックを行う。
【００８８】
これにより、UEは、受信した第一DCI及び第二DCIに基づいて、対応するCAのフィードバックセット及び対応するCoMPのフィードバックセットを確定でき、CAのフィードバックセットに基づいてCAのCSIの非周期フィードバックを行い、CoMPのフィードバックセットに基づいてCoMPのCSIの非周期フィードバックを行うことができる。
【００８９】
実施例の方法によれば、CA及びCoMPジョイント伝送中で、異なる伝送点及び干渉仮設に対応する複数のCSI情報を報告する必要があることによるフィードバックロードが大きいとの問題を解決でき、フィードバックの柔軟性と、システムのシグナリングロードとのよい折衷を実現することができる。
【００９０】
実施例5
本発明の実施例は更に、CoMP伝送中の非周期フィードバックのトリガー方法を提供し、該方法は、ジョイントした構成により、UEのCSIの非周期報告のトリガーを実現する。図6は、該方法のフローチャートである。図6に示すように、該方法は、次のステップを含む。
【００９１】
ステップ601:基地局がUEに、DCI及び予め構成された、前記DCIに対応するフィードバックセットを送信し、これにより、UEが前記DCI及び該DCIに対応するフィードバックセットに基づいて、対応するCA及びCoMPのチャネル状態情報の非周期フィードバックを行う。
【００９２】
本実施例では、該DCIの指示方式は、実施例1とは同じであり、その内容はここに援用され、ここでは詳しい説明を省略する。
【００９３】
本実施例では、予め構成された、前記DCIに対応するフィードバックセットは、トリガーされた伝送点又は非ゼロパワーのCSI-RSに基づいて分類されてもよく、構成されたCSIに基づいて分類されてもよく、具体的な分類方法は、実施例1とは同じであり、その内容はここに援用され、ここでは詳しい説明を省略する。また、該予め構成された、前記DCIに対応するフィードバックセットは、RRCシグナリングにより指示され、該RRCシグナリングは、各トリガーされた伝送点又は各構成されたCSIに対応するキャリア指示ビットを含む。
【００９４】
本実施例では、2ビットのDCI情報により、RRCシグナリングにより構成された複数のフィードバックセットをトリガーし、このフィードバックセットは、CA及びCoMPのCSIにより確定される。
【００９５】
一実施例では、該フィードバックセットが、トリガーされた伝送点又は非ゼロパワーのCSI-RSに基づいて分類される時に、即ち、伝送点を非周期フィードバックの内容とする場合、該フィードバックセットを指示するためのRRCシグナリングは、複数の伝送点のカスケード接続構成により実現され、即ち、該RRCシグナリングは、図7の（a）に示すように、各々のトリガーされた伝送点に対応するキャリア指示ビットを含む。図7の（a）では、8個のビットからのサブキャリアの選択を例としているが、実際上、今のところのLTE-Aシステムでは、最大で5個のサブキャリアをサポートし得るので、各々のトリガーされたTPに対応して、5個のビットのみで、選択され得るサブキャリアを指示しても良い。
【００９６】
他の一実施例では、該フィードバックセットが、構成されたCSIに基づいて分類される時に、即ち、CSIを非周期フィードバックの内容とする場合、該フィードバックセットを指示するためのRRCシグナリングは、CSI情報のカスケード接続構成により実現され、即ち、該RRCシグナリングは、図7の（b）に示すように、各々の構成されたCSIに対応するキャリア指示ビットを含む。図7の（b）では、8個のビットからのサブキャリアの選択を例としているが、同様に、今のところのLTE-Aシステムでは、最大で5個のサブキャリアをサポートし得るので、各々の構成されたCSIに対応して、5個のビットのみで、選択され得るサブキャリアを指示しても良い。
【００９７】
本実施例の方法で、UEの非周期フィードバックをトリガーすることにより、CA及びCoMPのジョイント伝送中で、異なる伝送点及び干渉仮設に対応する複数のCSI情報を報告する必要があることによるフィードバックロードが大きいとの問題を解決でき、フィードバックの柔軟性と、システムのシグナリングロードとの良い折衷を実現することができる。
【００９８】
実施例6
本発明の実施例は更に、CoMP伝送中の非周期フィードバックのトリガー方法を提供し、該方法は、実施例5の方法に対応するUE側の処理である。図8は、該方法のフローチャートであり、図8に示すように、該方法は、次のステップを含む。
【００９９】
ステップ801:UEが、基地局により送信されたDCI及び予め構成された、前記DCIに対応するフィードバックセットを受信し；
ステップ802:UEが、前記DCI及び該DCIに対応するフィードバックセットに基づいて、それ相応のCA及びCoMPのチャネル状態情報の非周期フィードバックを行う。
【０１００】
本実施例では、該DCIの指示方式は、実施例1とは同じであり、その内容はここに援用され、ここでは詳しい説明を省略する。
【０１０１】
本実施例では、予め構成された、前記DCIに対応するフィードバックセットは、トリガーされた伝送点又は非ゼロパワーのCSI-RSに基づいて分類されてもよく、構成されたCSIに基づいて分類されてもよく、具体的な分類方法は、実施例1とは同じであり、その内容はここに援用され、ここでは詳しい説明を省略する。また、該予め構成された、前記DCIに対応するフィードバックセットは、RRCシグナリングにより指示され、前記RRCシグナリングは、各々のトリガーされた伝送点又は各々の構成されたCSIに対応するキャリア指示ビットを含む。
【０１０２】
本実施例では、UEは、基地局が送信したDCIを受信した後で、該DCIに基づいて、それ相応のフィードバックセットを確定し、そして、該フィードバックセットが指示した内容に基づいて、それ相応のCSIの非周期フィードバックを行う。そのうち、該フィードバックセットは、基地局によりRRCシグナリングにて指示され、また、異なる分類方式に対応して、該RRCシグナリングは、異なる指示方式を採用し、また、具体的な指示方式は、既に実施例5に詳細に説明されているので、ここでは詳しい説明を省略する。
【０１０３】
本実施例の方法により、UEは、基地局が送信したDCI及び上位層（RRCシグナリング）指示のフィードバックセットに基づいて、対応するCSIの非周期フィードバックを行い、これにより、CA及びCoMPのジョイント伝送中で異なる伝送点及び干渉仮設に対応する複数のCSI情報を報告する必要があることによるフィードバックロードが大きいとの問題を解決でき、フィードバックの柔軟性と、システムのシグナリングロードとのよい折衷を実現することができる。
【０１０４】
実施例7
本発明の実施例は更に、CoMP伝送中の非周期フィードバックのトリガー方法を提供し、該方法も、ジョイント構成により、UEのCSIの非周期報告のトリガーを実現する。図9は、該方法のフローチャートであり、図9に示すように、該方法は、次のステップを含む。
【０１０５】
ステップ901:基地局がUEに、DCI及び予め構成された、前記DCIに対応するフィードバックセットを送信し、これにより、UEが、前記DCI及び該DCIに対応するフィードバックセットに基づいて、それ相応のCA及びCoMPのチャネル状態情報の非周期フィードバックを行う。
【０１０６】
本実施例では、該DCIの指示方式は、実施例1とは同じである、その内容はここに援用され、ここでは詳しい説明を省略する。
【０１０７】
本実施例では、予め構成された前記DCIに対応するフィードバックセットは、トリガーされた伝送点又は非ゼロパワーのCSI-RSに基づいて分類されてもよく、構成されたCSIに基づいて分類されてもよく、具体的な分類方法は、実施例1とは同じであり、その内容はここに援用され、ここでは詳しい説明を省略する。また、本実施例では、予め構成された前記DCIに対応するフィードバックセットは、RRCシグナリングにより指示され、前記RRCシグナリングは、構成された又はアクティブにされたキャリアを指示するためのキャリア指示ビット、及び、各々の構成された又はアクティブにされたキャリアに対応する、トリガーされたTPを指示するためのTP指示ビット又は構成されたCSIを指示するためのCSI指示ビットを含み；又は、前記RRCシグナリングは、構成された又はアクティブにされたキャリアを指示するためのキャリア指示ビット、及び、各々のトリガーされたTP又は構成されたCSIに対応することを指示するためのキャリア指示ビットを含む。そのうち、構成された又はアクティブにされたキャリアのキャリア指示ビットが既に存在する場合、前記RRCシグナリングには、この部分の内容が含まれない。
【０１０８】
本実施例では、同様に、2ビットのDCI情報により、RRCシグナリングにより構成された複数のフィードバックセットをトリガーし、このフィードバックセットは、CA及びCoMPのCSIにより確定される。しかし、実施例5との異なる点は、UEがCA伝送の時に、使用するキャリアが構成されており、又は、幾つかのキャリアがアクティブにされていることにあるため、本実施例では、非周期フィードバックセットを指示するためのRRCシグナリングは、この部分のキャリア指示ビットを含むのみならず、構成された又はアクティブにされたキャリアに対応する、トリガーされた伝送点の伝送点指示ビット又は構成されたCSIのCSI指示ビットをも含む。即ち、キャリア指示ビットと、構成された又はアクティブにされたキャリアに対応する、CoMP  CSIフィードバック情報（トリガーされたTPのTP指示ビット又は構成されたCSIのCSI指示ビット）とをカスケード接続して、１つのシグナリングを成す。
【０１０９】
一実施例では、該フィードバックセットが、トリガーされた伝送点又は非ゼロパワーのCSI-RSに基づいて分類される時に、即ち、伝送点を非周期フィードバックの内容とする場合、該フィードバックセットを指示するためのRRCシグナリングは、キャリア指示ビット、及び、各アクティブにされた又は構成されたキャリアに対応する、トリガーされたTPのTP指示ビットにより実現される。図10の（a）に示すように、該RRCシグナリングは、キャリア指示ビット（図10の（a）の「＋」の左側）を含み、そのうち、3個のキャリアは、使用され得るようにアクティブにされ又は構成され、この場合、この３つのキャリアの各々に対応して、トリガーされたTPのTP指示ビットが構成されており、「＋」の右側に示すに、トリガーされた伝送点の数が3であるとすると、各キャリアは、3ビットの情報を要する。
【０１１０】
他の実施例では、該フィードバックセットが、構成されたCSIに基づいて分類される時に、即ち、CSIを非周期フィードバックの内容とする場合、該フィードバックセットを指示するためのRRCシグナリングは、キャリア指示ビット、及び、各アクティブにされた又は構成されたキャリアに対応する、構成されたCSIのCSI指示ビットにより実現される。図10の（b）に示すように、該RRCシグナリングは、「＋」の左側のキャリア指示ビット、及び、「＋」の右側の、各アクティブにされた又は構成されたキャリアに対応する、構成されたCSIのCSI指示ビットを含む。そのうち、構成されたCSIセットが5であるとするち、各キャリアは、5ビットの情報を要する。
【０１１１】
以上の実施例では、該RRCシグナリングの第一段をキャリア指示ビットとし、第二段をTP指示ビット又はCSI指示ビットとするのを例とするが、具体的な実施に当たって、第一段をTP指示ビット又はCSI指示ビットとし、第二段をキャリア指示ビットとする方法を採用してもよく、即ち、該RRCシグナリングは、構成された又はアクティブにされたキャリアを指示するためのキャリア指示ビット、及び、各トリガーされたTP又は構成されたCSIに対応することを指示するためのキャリア指示ビットを含んでもよく、本実施例は、これに限定されない。
【０１１２】
本実施例の方法で、UEの非周期フィードバックをトリガーすることにより、CA及びCoMPのジョイント伝送中で、異なる伝送点及び干渉仮設に対応する複数のCSI情報を報告する必要があることによるフィードバックロードが大きいとの問題を解決でき、システムの柔軟性と、シグナリングロードとの良い折衷を得ることができる。
【０１１３】
実施例8
本発明の実施例は更に、CoMP伝送中の非周期フィードバックのトリガー方法を提供し、該方法は、実施例7の方法に対応するUE側の処理である。図11は、該方法のフローチャートであり、図11に示すように、該方法は、次のステップを含む。
【０１１４】
ステップ1101:UEが、基地局の送信したDCI及び予め構成された、前記DCIに対応するフィードバックセットを受信し；
ステップ1102:UEが、前記DCI及び該DCIに対応するフィードバックセットに基づいて、それ相応のCA及びCoMPのチャネル状態情報の非周期フィードバックを行う。
【０１１５】
本実施例では、該DCIの指示方式は実施例1とは同じであり、その内容はここに援用され、ここでは詳しい説明を省略する。
【０１１６】
本実施例では、予め構成された前記DCIに対応するフィードバックセットは、トリガーされた伝送点又は非ゼロパワーのCSI-RSに基づいて分類されてもよく、構成されたCSIに基づいて分類されてもよい。具体的な分類方法は、実施例1とは同じであり、その内容はここに援用され、ここでは詳しい説明を省略する。また、本実施例では、予め構成された前記DCIに対応するフィードバックセットは、RRCシグナリングにより指示され、前記RRCシグナリングは、構成された又はアクティブにされたキャリアを指示するためのキャリア指示ビット、及び、各構成された又はアクティブにされたキャリアに対応する、トリガーされたTPのTP指示ビット又は構成されたCSIのCSI指示ビットを含み；又は、前記RRCシグナリングは、構成された又はアクティブにされたキャリアを指示するためのビット、及び、各トリガーされたTP又は構成されたCSIに対応するキャリアを指示するためのビットを含む。
【０１１７】
本実施例では、UEは、基地局が送信したDCIを受信した後に、該DCIに基づいて、それ相応のフィードバックセットを確定し、該フィードバックセットが指示した内容に基づいて、それ相応のCSIの非周期フィードバックを行う。そのうち、該フィードバックセットは、基地局によりRRCシグナリングにて指示され、また、異なる分類方式に対応して、該RRCシグナリングは、異なる指示方式を採用し、また、具体的な指示方式は、実施例7に詳細に説明されているので、ここでは詳しい説明を省略する。
【０１１８】
本実施例の方法により、UEは、基地局が送信したDCI及び上位層（RRCシグナリング）が指示したフィードバックセットに基づいて、それ相応のCSIの非周期フィードバックを行い、これにより、CA及びCoMPのジョイント伝送中で異なる伝送点及び干渉仮設に対応する複数のCSI情報を報告する必要があることによるフィードバックロードが大きいとの問題を解決でき、システムの柔軟性と、シグナリングロードとの良い折衷を得ることができる。
【０１１９】
実施例9
本発明の実施例は更に、CoMP伝送中の非周期フィードバックのトリガー方法を提供し、該方法も、ジョイント構成により、UEのCSIの非周期報告のトリガーを実現する。図12は、該方法のフローチャートであり、図12に示すように、該方法は、次のステップを含む。
【０１２０】
ステップ1201:基地局がUEに、DCI及び予め構成された前記DCIに対応するフィードバックセットを送信し、これにより、UEが前記DCI及び前記DCIに対応するフィードバックセットに基づいて、それ相応のCA及びCoMPのチャネル状態情報の非周期フィードバックを行う。
【０１２１】
本実施例では、該DCIの指示方式は実施例1とは同じであり、その内容はここに援用され、ここでは詳しい説明を省略する。
【０１２２】
本実施例では、予め構成された前記DCIに対応するフィードバックセットは、トリガーされた伝送点又は非ゼロパワーのCSI-RSに基づいて分類されてもよく、構成されたCSIに基づいて分類されてもよい。具体的な分類方法は、実施例1とは同じであり、その内容はここに援用され、ここでは詳しい説明を省略する。また、本実施例では、予め構成された前記DCIに対応するフィードバックセットは、RRCシグナリングにより指示され、前記RRCシグナリングは、トリガーされた非周期フィードバックのキャリアを指示するためのキャリア指示ビット、及び、各トリガーされたキャリアに対応する、トリガーされたTPのTP指示ビット又は構成されたCSIのCSI指示ビットを含み；又は、前記RRCシグナリングは、トリガーされた非周期フィードバックのキャリアを指示するためのキャリア指示ビット、及び、各トリガーされたTP又は構成されたCSIに対応するキャリア指示ビットを含む。
【０１２３】
本実施例では、同様に、2ビットのDCI情報により、RRCシグナリングの構成した複数のフィードバックセットをトリガーし、このフィードバックセットは、CA及びCoMPのCSIにより確定される。しかし、実施例7との異なる点は、UEがCA伝送の時に、使用するキャリアが構成又はアクティブにされず、稼働過程で、幾つかのキャリアの使用がトリガーされることにある。そうすると、本実施例では、非周期フィードバックセットを指示するためのRRCシグナリングは、この部分のトリガーされたキャリアのキャリア指示ビット、及び、該トリガーされたキャリアに対応する、トリガーされた伝送点の伝送点指示ビット又は構成されたCSIのCSI指示ビットを含む。即ち、トリガーされたキャリアのキャリア指示ビット、及び、トリガーされたキャリアに対応するCoMP  CSIフィードバック情報（トリガーされたTPのTP指示ビット又は構成されたCSIのCSI指示ビット）をカスケード接続して、１つのシグナリングを成す。
【０１２４】
一実施例では、該フィードバックセットが、トリガーされた伝送点又は非ゼロパワーのCSI-RSに基づいて分類される時に、即ち、伝送点を非周期フィードバックの内容とする場合、該フィードバックセットを指示するためのRRCシグナリングは、キャリア指示ビット、及び、各トリガーされたキャリアに対応する、トリガーされたTPのTP指示ビットにより実現される。そのうち、トリガーされたキャリアの数が変化するものであるので、それ相応の非周期フィードバックセットを指示するためのRRCシグナリングも変化するものである。図13の（a）に示すように、該RRCシグナリングは、キャリア指示ビット（図13の（a）の「＋」の左側）を含み、そのうち、3個のキャリア（第0個、第1個、及び第3個）はトリガーされ、この場合、この３つのキャリアの各々に対応して、トリガーされたTPのTP指示ビットが構成されており、「＋」の右側に示すように、トリガーされた伝送点の数が3であるとすると、各キャリアは、3ビットの情報を要する。
【０１２５】
他の実施例では、該フィードバックセットが、構成されたCSIに基づいて分類される時に、即ち、CSIを非周期フィードバックの内容とする場合、該フィードバックセットを指示するためのRRCシグナリングは、キャリア指示ビット、及び、各トリガーされたキャリアに対応する、構成されたCSIのCSI指示ビットにより実現される。図13の（b）に示すように、該RRCシグナリングは、「＋」の左側のキャリア指示ビット、及び、「＋」の右側の、各トリガーされたキャリアに対応する、構成されたCSIのCSI指示ビットを含む。そのうち、構成されたCSIセットが5であるとすると、各キャリアは、5ビットの情報を要する。
【０１２６】
以上の実施例では、同様に、該RRCシグナリングの第一段をキャリア指示ビットとし、第二段をTP指示ビット又はCSI指示ビットとするのを例とするが、具体的な実施に当たって、第一段がTP指示ビット又はCSI指示ビットであり、第二段がキャリア指示ビットである方法を採用してもよく、即ち、該RRCシグナリングは、トリガーされたキャリアを指示するためのキャリア指示ビット、及び、各トリガーされたTP又は構成されたCSIを対応することを指示するためのキャリア指示ビットを含んでもよく、本実施例は、これに限定されない。
【０１２７】
本実施例の方法で、UEの非周期フィードバックをトリガーすることにより、CA及びCoMPのジョイント伝送中で異なる伝送点及び干渉仮設に対応する複数のCSI情報を報告する必要があることによるフィードバックロードが大きいとの問題を解決でき、フィードバックの柔軟性と、システムのシグナリングロードとの良い折衷を実現することができる。
【０１２８】
実施例10
本発明の実施例は更に、CoMP伝送中の非周期フィードバックのトリガー方法を提供し、該方法は、実施例9の方法に対応するUE側の処理である。図14は、該方法のフローチャートであり、図14に示すに、該方法は、次のステップを含む。
【０１２９】
ステップ1401:UEが、基地局により送信されたDCI及び予め構成された前記DCIに対応するフィードバックセットを受信し；
ステップ1402:UEが、前記DCI及び前記DCIに対応するフィードバックセットに基づいて、それ相応のCA及びCoMPのチャネル状態情報の非周期フィードバックを行う。
【０１３０】
本実施例では、該DCIの指示方式は実施例1とは同じであり、その内容はここに援用され、ここでは詳しい説明を省略する。
【０１３１】
本実施例では、予め構成された前記DCIに対応するフィードバックセットは、トリガーされた伝送点又は非ゼロパワーのCSI-RSに基づいて分類されてもよく、構成されたCSIに基づいて分類されてもよい。具体的な分類方法は、実施例1とは同じであり、その内容はここに援用され、ここでは詳しい説明を省略する。また、本実施例では、予め構成された前記DCIに対応するフィードバックセットは、RRCシグナリングにより指示され、前記RRCシグナリングは、トリガーされた非周期フィードバックのキャリアを指示するためのキャリア指示ビット、及び、各トリガーされたキャリアに対応する、トリガーされたTPのTP指示ビット又は構成されたCSIのCSI指示ビットを含み；又は、前記RRCシグナリングは、トリガーされた非周期フィードバックのキャリアを指示するためのキャリア指示ビット、及び、各トリガーされたTP又は構成されたCSIに対応することを指示するためのキャリア指示ビットを含む。
【０１３２】
本実施例では、UEは、基地局が送信したDCIを受信した後に、該DCIに基づいて、それ相応のフィードバックセットを確定し、該フィードバックセットが指示した内容に基づいて、それ相応のCSIの非周期フィードバックを行う。そのうち、該フィードバックセットは、基地局によりRRCシグナリングにて指示され、また、異なる分類方式に対応して、該RRCシグナリングは、異なる指示方式を採用し、また、具体的な指示方式は、既に実施例9に詳細に説明されており、ここでは詳しい説明を省略する。
【０１３３】
本実施例の方法により、UEは、基地局が送信したDCI及び上位層（RRCシグナリング）が指示したフィードバックセットに基づいて、それ相応のCSIの非周期フィードバックを行い、CA及びCoMPのジョイント伝送中で異なる伝送点及び干渉仮設に対応する複数のCSI情報を報告する必要があることによるフィードバックロードが大きいとの問題を解決でき、フィードバックの柔軟性と、システムのシグナリングロードとの良い折衷を実現することができる。
【０１３４】
実施例11
本発明の実施例は更に、CoMP伝送中の非周期フィードバックのトリガー方法を提供し、該方法も、ジョイント構成により、UEのCSIの非周期報告のトリガーを実現する。図15は、該方法のフローチャートであり、図15に示すように、該方法は、次のステップを含む。
【０１３５】
ステップ1501:基地局がUEに、DCI及び予め構成された前記DCIに対応するフィードバックセットを送信し、これにより、UEが、前記DCI及び前記DCIに対応するフィードバックセットに基づいて、それ相応のCA及びCoMPのチャネル状態情報の非周期フィードバックを行う。
【０１３６】
本実施例では、該DCIの指示方式は実施例1とは同じであり、その内容はここに援用され、ここでは詳しい説明を省略する。
【０１３７】
本実施例では、予め構成された前記DCIに対応するフィードバックセットは、トリガーされた伝送点又は非ゼロパワーのCSI-RSに基づいて分類されてもよく、構成されたCSIに基づいて分類されてもよい。具体的な分類方法は、実施例1とは同じであり、その内容はここに援用され、ここでは詳しい説明を省略する。また、本実施例では、予め構成された前記DCIに対応するフィードバックセットは、RRCシグナリングにより指示され、前記RRCシグナリングは、トリガーされたキャリアを指示するためのキャリア指示ビット、及び、各トリガーされたキャリアに対応するフィードバック内容を指示するためのTP指示ビット又はCSI指示ビットを含む。
【０１３８】
本実施例では、シグナリングのロードを減らすために、すべてのトリガーされたキャリア中のすべてのトリガーされた非周期フィードバックの内容が同じであると仮定し、そうすると、非周期フィードバックのフィードバックセットを指示するためのRRCシグナリングは、トリガーされたキャリアのキャリア指示ビット、及び、トリガーされたキャリアのうちのフィードバックのフィードバック内容（TP指示ビット又はCSI指示ビット）のみを含む。
【０１３９】
一実施例では、図16の（a）に示すように、TPを非周期フィードバックの内容とする分類方式の下で、キャリア0及びキャリア1がトリガーされ、該キャリアのうちのトリガーされた非周期フィードバックの内容が同じであるとすると、該RRCシグナリングは、キャリア指示ビット及び対応するTP指示ビットのみを含む。
【０１４０】
他の一実施例では、図16の（b）に示すように、CSIを非周期フィードバックの内容とする分類方式の下で、キャリア0及びキャリア1がトリガーされ、該キャリアのうちのトリガーされた非周期フィードバックの内容が同じであるとすると、該RRCシグナリングは、キャリア指示ビット及び対応するCSI指示ビットのみを含む。
【０１４１】
本実施例の方法で、UEの非周期フィードバックをトリガーすることにより、シグナリングロードが小さいので、CA及びCoMPのジョイント伝送中で異なる伝送点及び干渉仮設に対応する複数のCSI情報を報告する必要があることによるフィードバックロードが大きいとの問題を解決でき、フィードバックの柔軟性と、システムのシグナリングロードとの良い折衷を実現することができる。
【０１４２】
実施例12
本発明の実施例は更に、CoMP伝送中の非周期フィードバックのトリガー方法を提供し、該方法は、実施例11の方法に対応するUE側の処理である。図17は、該方法のフローチャートであり、図17に示すように、該方法は、次のステップを含む。
【０１４３】
ステップ1701:UEが、基地局により送信されたDCI及び予め構成された前記DCIに対応するフィードバックセットを受信し；
ステップ1702:UEが、前記DCI及び前記DCIに対応するフィードバックセットに基づいて、それ相応のCA及びCoMPのチャネル状態情報の非周期フィードバックを行う。
【０１４４】
本実施例では、該DCIの指示方式は実施例1とは同じであり、その内容はここに援用され、ここでは詳しい説明を省略する。
【０１４５】
本実施例では、予め構成された前記DCIに対応するフィードバックセットは、トリガーされた伝送点又は非ゼロパワーのCSI-RSに基づいて分類されてもよく、構成されたCSIに基づいて分類されてもよい。具体的な分類方法は、実施例1とは同じであり、その内容はここに援用され、ここでは詳しい説明を省略する。また、本実施例では、予め構成された前記DCIに対応するフィードバックセットは、RRCシグナリングにより指示され、前記RRCシグナリングは、トリガーされたキャリアを指示するためのキャリア指示ビット、及び、各トリガーされたキャリアに対応するフィードバック内容を指示するためのTP指示ビット又はCSI指示ビットを含む。
【０１４６】
本実施例では、UEは、基地局が送信したDCIを受信した後に、該DCIに基づいて、それ相応のフィードバックセットを確定し、そして、該フィードバックセットが指示した内容に基づいて、それ相応のCSIの非周期フィードバックを行う。そのうち、該フィードバックセットは、基地局によりRRCシグナリングにて指示され、また、異なる分類方式に対応して、該RRCシグナリングは、異なる指示方式を採用し、また、具体的な指示方式は実施例11に詳細に説明されているため、ここでは詳しい説明を省略する。
【０１４７】
本実施例の方法により、UEは、基地局が送信したDCI及び上位層（RRCシグナリング）が指示したフィードバックセットに基づいて、それ相応のCSIの非周期フィードバックを行い、シグナリングロードが小さいので、CA及びCoMPのジョイント伝送中で異なる伝送点及び干渉仮設に対応する複数のCSI情報を報告する必要があることによるフィードバックロードが大きいとの問題を解決でき、フィードバックの柔軟性と、システムのシグナリングロードとの良い折衷を実現することができる。
【０１４８】
＜共通サーチ空間で非周期フィードバックをトリガーするシナリオ＞
実施例13
本発明の実施例は更に、CoMP伝送中の非周期フィードバックのトリガー方法を提供し、該方法は、共通サーチ空間でCSIの非周期フィードバックをトリガーする。図18は、該方法のフローチャートであり、図18に示すように、該方法は、次のステップを含む。
【０１４９】
ステップ1801:基地局がUEに、動的制御情報（DCI)を送信し、これにより、UEが、前記DCI及び予め設定された、前記DCIに対応するフィードバック約定情報に基づいて、それ相応のチャネル状態情報の非周期フィードバックを行う。
【０１５０】
本実施例では、予め設定された、前記DCIに対応するフィードバック約定情報は、例えば、第１個の非ゼロパワーのCSI-RSリソースのすべてのCSIをフィードバックし、又は、非周期フィードバックCSIセットのうちの第１個のCSIをフィードバックし、又は、トリガーされた非周期フィードバックCSIセットのうちの第１個のCSIをフィードバックすることである。
【０１５１】
本実施例では、非周期フィードバックが共通サーチ空間でトリガーされる時に、シグナリングビットの数の制限を満たすために、1ビットのみのDCI情報は、非周期フィードバックのトリガーされたために用いられる。そのうち、0は、非周期報告をトリガーしないことを表し、1は、非周期報告をトリガーすることを表す。そのうち、"1"は、複数種類の指示方法を有し、例えば、上位層が構成したフィードバックセット1である。該フィードバックセット1は、同様に、実施例1の分類方法により分類することができ、その具体的な上位層指示方法も、同様に、実施例1の方法を採用することができ、例えば、異なる分類方法に対応して、異なるRRCシグナリング設計を採用することで実現することができる。言い換えると、実施例1の方法も、共通サーチ空間で非周期フィードバックをトリガーするシナリオに適用することができる。実施例1のと異なる点は、実施例1では、DCIが2ビットの情報にて非周期フィードバックを指示するが、本実施例の該シナリオの下で、DCIが1ビットの情報にて非周期フィードバックを指示することにある。しかし、非周期フィードバックのフィードバックセットに対応して、本実施例は、実施例1の方法をそのまま用いることができる。実施例1には、フィードバックセットの分類及びフィードバックセットの上位層指示方法について詳細に説明しているため、ここでは詳しい説明を省略する。
【０１５２】
本実施例では、UEが共通サーチ空間を用いて非周期報告をトリガーするため、UEのチャネル状態が悪くなる可能性があるとのことを考慮しており、例えば、高速状態にあると、このときに、UEの実際の伝送は、robustな伝送方式を採用する必要があり、例えば、シングルセルの伝送方式に戻し；又は、UEがRRC再構成状態にあり、RRC再構成過程では、測定セットのCSI-RSリソースが変化したため、ある状態のCSIが不正確になり；また、上りチャネル状態が理想でない時に、サポートし得るフィードバックロードは大き過ぎない方が良い。
【０１５３】
上述のことを考慮することにより、本発明の実施例では、基地局及びUEが予め、該DCIに対応するフィードバック約定情報を設定することにより、非周期報告の内容についてのコンセンサスを達成する。基地局が該1ビットのDCI情報"1"により、UEが共通サーチ空間でCSIの非周期フィードバックを行うことをトリガーする時に、UEは、予め設定された該フィードバック約定情報に基づいて、決まってるセルのCSI情報をフィードバックする。他の一実施例では、該フィードバック約定情報は、第１個の非ゼロパワーのCSI-RSリソースのすべてのCSIのフィードバックを指示し、それは、シングルセルのCSI情報に対応する。他の実施例では、該フィードバック約定情報は、すべてのCSI中の第１個のCSI情報のフィードバックを指示し、それは、シングルセルの干渉開始のCSI情報に対応する。これにより、上述の問題を解決でき、非周期報告を有効にトリガーすることができる。
【０１５４】
本実施例では、CoMP及びCAの組み合わせのシナリオの場合、上りキャリアのトリガーに対応する下りキャリア上の指示は、RRC構成の可能性があり、又は、予め確定された、決まっているCSI又はTPリソースの可能性があり、又は、基地局がユーザのために構成したアンカーCSI又はTPリソースの可能性がある。
【０１５５】
本実施例の方法で、UEの非周期フィードバックをトリガーすることにより、UEが共通サーチ空間を用いて非周期報告をトリガーするときの若干問題を解決し、シグナリングのロードが小さいため、フィードバックの柔軟性と、システムのシグナリングロードとの良い折衷を実現することができる。
【０１５６】
実施例14
本発明の実施例は更に、CoMP伝送中の非周期フィードバックのトリガー方法を提供し、該方法は、実施例13の方法に対応するUE側の処理である。図19は、該方法のフローチャートであり、図19に示すように、該方法は、
ステップ1901:UEが、基地局の送信した動的制御情報（DCI)を受信し;
ステップ1902:UEが、前記DCI及び予め設定された、前記DCIに対応するフィードバック約定情報に基づいて、それ相応のチャネル状態情報の非周期フィードバックを行う。
【０１５７】
本実施例では、予め設定された、前記DCIに対応するフィードバック約定情報は、第１個の非ゼロパワーのCSI-RSリソースのすべてのCSIのフィードバック、又は、非周期フィードバックCSIセットのうちの第１個のCSIのフィードバック、又は、トリガーされた非周期フィードバックCSIセットのうちの第１個のCSIのフィードバックである。
【０１５８】
本実施例の方法により、DCIが1ビットの情報のみにより、非周期フィードバックを行うかどうかを指示するため、UEが該DCIに基づいて非周期フィードバックの要否を確定する時に、基地局と事前に達成した共識に基づいて、それ相応の非周期フィードバックを行い、これにより、UEが共通サーチ空間を用いて非周期報告をトリガーするときの若干問題を解決でき、シグナリングロードが小さいため、フィードバックの柔軟性と、システムのシグナリングロードとのよい折衷を実現することができる。
【０１５９】
実施例13と同様に、該シナリオの下で、基地局は、1ビットのDCIに対応して、予めフィードバックセットを構成する方式で、フィードバック内容を指示してもよく、それ相応に、UE側では、実施例2の方法を採用して非周期フィードバックを実現しても良い。
【０１６０】
実施例15
本発明の実施例は更に、CoMP伝送中の非周期フィードバックのトリガー方法を提供し、該方法も、共通サーチ空間で非周期フィードバックをトリガーする。図20は、該方法のフローチャートであり、図20に示すように、該方法は、次のステップを含む。
【０１６１】
ステップ2001:基地局がUEに、動的制御情報（DCI)及び予め構成されたアンカーCSIリソースを送信し、これにより、UEが、前記DCI及び前記アンカーCSIリソースに基づいて、それ相応のチャネル状態情報の非周期フィードバックを行う。
【０１６２】
本実施例では、予め構成されたアンカーCSIリソースは、RRCシグナリングにより指示され、前記RRCシグナリングは、前記アンカーCSIリソースを指示するためのlog2(N)個のビット又はN個のビット又はlog2(M)個のビット又はM個のビットを含み、そのうち、Nは、CoMP測定セットの大小であり、Mは、構成されたCSIセットの大小である。
【０１６３】
本実施例では、基地局が予め１つのアンカーCSIリソースを構成し、該アンカーCSIリソースは、特に、非周期フィードバックのトリガーのために使用され、特に、共通空間での非周期フィードバックのトリガーのために使用される。そのうち、該アンカーCSIリソースは、基地局により、RSRP(Reference  Signal  Receiving  Power、参照信号受信パワー）及び/又はRSRQ(Reference  Signal  Receiving  Quality、参照信号受信品質）に基づいて選択することができるが、本実施例は、これに限定されない。それは、１つの非ゼロパワーのCSI-RSに対応する少なくとも１つのCSIリソースであってもよく、非周期フィードバックCSIセットのうちの少なくとも１つのCSIリソースであってもよい。
【０１６４】
本実施例では、該アンカーCSIリソースは、RRCシグナリングにより指示されてもよい。一実施例では、該CSIリソースは、トリガーされた伝送点TP(非ゼロパワーのCSI-RS)に基づいて区別され、この場合、該RRCシグナリングは、log2(N)個のビットにより、トリガーされたTP(非ゼロパワーのCSI-RS)を指示し、これにより、UEがN個のTP(非ゼロパワーのCSI-RS)に対応するCSIリソース中で該アンカーCSIリソースを確定することができ、そのうち、Nは、CoMP測定セットの大小であり；又は、該RRCシグナリングは、N個のビットにより、該アンカーCSIリソースを指示し、この時に、ビットマップの方式で指示を行うことができる。他の実施例では、該CSIリソースは、構成されたCSIに基づいて区別され、この場合、該RRCシグナリングは、log2(M)個のビットにより、該アンカーCSIリソースの、基地局により非周期フィードバックのために構成したCSIセット中の位置を指示し、又は、M個のビットビットマップの方式で指示を行っても良く、Mは、基地局が非周期フィードバックのために構成したCSIセットの大小である。
【０１６５】
本実施例の方法でUEの非周期フィードバックをトリガーすることにより、UEが共通サーチ空間で非周期報告をトリガーするときの若干問題を解決することができ、また、シグナリングロードも小さい。
【０１６６】
実施例16
本発明の実施例は更に、CoMP伝送中の非周期フィードバックのトリガー方法を提供し、該方法は、実施例15の方法に対応するUE側の処理である。図21は、該方法のフローチャートであり、図21に示すように、該方法は、次のステップを含む。
【０１６７】
ステップ2101:UEが、基地局により送信された動的制御情報（DCI)及び予め構成されたアンカーCSIリソースを受信し;
ステップ2102:UEが、前記DCI及び前記アンカーCSIリソースに基づいて、それ相応のチャネル状態情報の非周期フィードバックを行う。
【０１６８】
本実施例では、前記アンカーCSIリソースは、１つの非ゼロパワーのCSI-RSに対応する少なくとも１つのCSIリソース、又は、非周期フィードバックのCSIセットのうちの少なくとも１つのCSIリソースである。
【０１６９】
本実施例では、予め構成されたアンカーCSIリソースは、RRCシグナリングにより指示され、前記RRCシグナリングは、アンカーCSIリソースを指示するためのlog2(N)個のビット又はN個のビット又はlog2(M)個のビット又はM個のビットを含み、そのうち、Nは、CoMP測定セットの大小であり、Mは、構成されたCSIセットの大小である。そのうち、前記RRCシグナリングがNビット又はMビットにより前記アンカーCSIリソースを指示する時に、その指示は、ビットビットマップの形式で行われる。
【０１７０】
本実施例の方法による、DCIが1ビットのみの情報で非周期フィードバックの要否を指示するため、UEが該DCIに基づいて非周期フィードバックの要否を確定する時に、UEは、基地局が予め構成したアンカーCSIリソースに基づいて、それ相応の非周期フィードバックを行い、これにより、UEが共通サーチ空間を用いて非周期報告をトリガーするときの若干問題を解決することができ、また、シグナリングロードも小さい。
【０１７１】
また、実施例1の方法に対応して、本発明の実施例は更に基地局を提供し、該基地局が問題を解決する原理は、実施例1の方法とは同じであり、その具体的な実施は、実施例1の方法の実施を参照できるので、重複説明は省略する。図22は、基地局の構成図であり、図22に示すように、該基地局は、次のものを含む。
【０１７２】
送信ユニット221：UEに、1ビット又は2ビットの動的制御情報（DCI)、及び、RRCシグナリングにより予め構成された前記DCIに対応するフィードバックセットを送信し、これにより、UEは、前記DCI及び前記DCIに対応するフィードバックセットに基づいて、それ相応のチャネル状態情報の非周期フィードバックを行う。
【０１７３】
そのうち、RRCシグナリングにより予め構成された前記DCIに対応するフィードバックセットは、トリガーされた伝送点又は非ゼロパワーのCSI-RSに基づいて分類され；又は、構成されたCSIに基づいて分類され；又は、干渉類型に基づいて分類去れる。
【０１７４】
そのうち、1ビットのDCIに対応するフィードバックセットは１つであり、2ビットのDCIに対応するフィードバックセットは、３つ又は２つである。
【０１７５】
本実施例の基地局によりUEのCSI非周期フィードバックをトリガーすることにより、フィードバックの柔軟性と、システムのシグナリングロードとの良い折衷を実現することができる。
【０１７６】
実施例2の方法に対応して、本発明の実施例は更にユーザ装置（UE)を提供し、該UEが問題を解決する原理は、実施例2の方法とは同じであり、その具体的な実施は、実施例2の方法の実施を参照できるため、重複説明は省略する。図23は、該UEの構成図であり、図23に示すように、該UEは、次のものを含む。
【０１７７】
受信ユニット231：基地局から送信した1ビット又は2ビットのDCI、及び、RRCシグナリングにより予め構成された前記DCIに対応するフィードバックセットを受信し；
報告ユニット232：前記DCI及び前記DCIに対応するフィードバックセットに基づいて、それ相応のチャネル状態情報の非周期フィードバックを行う。
【０１７８】
そのうち、RRCシグナリングにより予め構成された前記DCIに対応するフィードバックセットは、トリガーされた伝送点又は非ゼロパワーのCSI-RSに基づいて分類され；又は、構成されたCSIに基づいて分類され；又は、干渉類型に基づいて分類される。
【０１７９】
そのうち、1ビットのDCIに対応するフィードバックセットは１つであり、2ビットのDCIに対応するフィードバックセットは３つ又は２つである。
【０１８０】
本実施例のUEによれば、基地局に基づくCSIの非周期フィードバックのトリガーにより、フィードバックの柔軟性と、システムのシグナリングロードとの良い折衷を実現することができる。
【０１８１】
実施例3の方法に対応して、本発明の実施例は更に基地局を提供し、該基地局が問題を解決する原理は、実施例3の方法とは同じであり、その具体的な実施は、実施例3の方法の実施を参照できるため、重複説明は省略する。図24は、該基地局の構成図であり、図24に示すように、該基地局は、次のものを含む。
【０１８２】
第一送信ユニット241：UEに、1ビット又は2ビットの第一DCI、及び、RRCシグナリングにより予め構成された、前記第一DCIに対応するフィードバックセットを送信し、これにより、UEは、前記第一DCI及び前記第一DCIに対応するフィードバックセットに基づいて、それ相応のキャリアアグリゲーション（CA)のチャネル状態情報の非周期フィードバックを行い；
第二送信ユニット242：UEに、1ビット又は2ビットの第二DCI、及び、RRCシグナリングにより予め構成された、前記第二DCIに対応するフィードバックセットを送信し、これにより、UEは、前記第二DCI及び前記第二DCIに対応するフィードバックセットに基づいて、それ相応のCoMP伝送（CoMP)のチャネル状態情報の非周期フィードバックを行う。
【０１８３】
そのうち、RRCシグナリングにより予め構成された、前記第二DCIに対応するフィードバックセットは、トリガーされた伝送点又は非ゼロパワーのCSI-RSに基づいて分類され；又は、構成されたCSIに基づいて分類され；又は、干渉類型に基づいて分類される。
【０１８４】
そのうち、1ビットの第一DCIに対応するフィードバックセットは１つであり、1ビットの第二DCIに対応するフィードバックセットは１つであり、2ビットの第一DCIに対応するフィードバックセットは、３つ又は２つであり、2ビットの第二DCIに対応するフィードバックセットは、３つ又は２つである。
【０１８５】
本実施例の基地局によりUEのCSIの非周期フィードバックをトリガーすることで、フィードバックの柔軟性と、システムのシグナリングロードとの良い折衷を実現することができる。
【０１８６】
実施例4の方法に対応して、本発明の実施例は更にユーザ装置（UE)を提供し、該UEが問題を解決する原理は、実施例4の方法とは同じであり、その具体的な実施は、実施例4の方法の実施を参照でき、重複説明は、省略する。図25は、該UEの構成図であり、図25に示すように、該UEは、次のものを含む。
【０１８７】
第一受信ユニット251：基地局から送信した1ビット又は2ビットの第一DCI、及び、RRCシグナリングにより予め構成された、前記第一DCIに対応するフィードバックセットを受信し；
第一報告ユニット252：前記第一DCI及び前記第一DCIに対応するフィードバックセットに基づいて、それ相応のCAのチャネル状態情報の非周期フィードバックを行い；
第二受信ユニット253：基地局から送信した1ビット又は2ビットの第二DCI及び予め構成された前記第二DCIに対応するフィードバックセットを受信し；
第二報告ユニット254：前記第二DCI及び前記第二DCIに対応するフィードバックセットに基づいてそれ相応のCoMPのチャネル状態情報の非周期フィードバックを行う。
【０１８８】
そのうち、予め構成された前記第二DCIに対応するフィードバックセットは、トリガーされた伝送点又は非ゼロパワーのCSI-RSに基づいて分類され；又は、構成されたCSIに基づいて分類され；又は、干渉類型に基づいて分類される。
【０１８９】
そのうち、1ビットの第一DCIに対応するフィードバックセットは１つであり、1ビットの第二DCIに対応するフィードバックセットは１つであり、2ビットの第一DCIに対応するフィードバックセットは３つ又は２つであり、2ビットの第二DCIに対応するフィードバックセットは３つ又は２つである。
【０１９０】
本実施例のUEによれば、基地局に基づくCSIの非周期フィードバックのトリガーにより、フィードバックの柔軟性と、システムのシグナリングロードとの良い折衷を実現することができる。
【０１９１】
実施例5の方法に対応して、本発明の実施例は更に基地局を提供し、該基地局が問題を解決する原理は、実施例5の方法とは同じであり、その具体的な実施は、実施例5の方法の実施を参照できるので、重複説明は、省略する。図26は、該基地局の構成図であり、図26に示すように、該基地局は、次のものを含む。
【０１９２】
送信ユニット261：UEに、2ビットのDCI及びRRCシグナリングにより予め構成された前記DCIに対応するフィードバックセットを送信し、これにより、UEは、前記DCI及び前記DCIに対応するフィードバックセットに基づいて、それ相応のCA及びCoMPのチャネル状態情報の非周期フィードバックを行う。
【０１９３】
そのうち、予め構成された前記DCIに対応するフィードバックセットは、トリガーされた伝送点又は非ゼロパワーのCSI-RSに基づいて分類され；又は、構成されたCSIに基づいて分類される。
【０１９４】
そのうち、予め構成された前記DCIに対応するフィードバックセットは、RRCシグナリングにより指示され、前記RRCシグナリングは、各トリガーされた伝送点又は各構成CSIに対応するキャリア指示ビットを含む。
【０１９５】
そのうち、2ビットのDCIに対応するフィードバックセットは3つ又は2つである。
【０１９６】
本実施例の基地局により、UEのCSIの非周期フィードバックをトリガーすることで、フィードバックの柔軟性と、システムのシグナリングロードとの良い折衷を実現することができる。
【０１９７】
実施例6の方法に対応して、本発明の実施例は更にユーザ装置（UE)を提供し、該UEが問題を解決する原理は、実施例6の方法とは同じであり、その具体的な実施は、実施例6の方法の実施を参照できるため、重複説明は、省略する。図27は、該UEの構成図であり、図27に示すように、該UEは、次のものを含む。
【０１９８】
受信ユニット271：基地局により送信された2ビットのDCI、及び、RRCシグナリングにより予め構成された前記DCIに対応するフィードバックセットを受信し；
報告ユニット272：前記DCI及び前記DCIに対応するフィードバックセットに基づいて、それ相応のCA及びCoMPのチャネル状態情報の非周期フィードバックを行う。
【０１９９】
そのうち、予め構成された前記DCIに対応するフィードバックセットは、トリガーされた伝送点又は非ゼロパワーのCSI-RSに基づいて分類され；又は、構成されたCSIに基づいて分類される。
【０２００】
そのうち、予め構成された前記DCIに対応するフィードバックセットは、RRCシグナリングにより指示され、前記RRCシグナリングは、各々のトリガーされた伝送点又は各々の構成されたCSIに対応するキャリア指示ビットを含む。
【０２０１】
そのうち、2ビットのDCIに対応するフィードバックセットは、3つ又は2つである。
【０２０２】
本実施例のUEにより、基地局からのCSIの非周期フィードバックのトリガーにより、フィードバックの柔軟性と、システムのシグナリングロードとの良い折衷を実現することができる。
【０２０３】
実施例7の方法に対応して、本発明の実施例は更に基地局を提供し、該基地局が問題を解決する原理は、実施例7の方法とは同じであり、その具体的な実施は、実施例7の方法の実施を参照できるため、重複説明は、省略する。図28は、該基地局の構成図であり、図28に示すように、該基地局は、次のものを含む。
【０２０４】
送信ユニット281：UEに、2ビットのDCI及びRRCシグナリングにより予め構成された前記DCIに対応するフィードバックセットを送信し、これにより、UEは、前記DCI及び前記DCIに対応するフィードバックセットに基づいて、それ相応のCA及びCoMPのチャネル状態情報の非周期フィードバックを行う。
【０２０５】
そのうち、予め構成された前記DCIに対応するフィードバックセットは、トリガーされた伝送点又は非ゼロパワーのCSI-RSに基づいて分類され；又は、構成されたCSIに基づいて分類される。
【０２０６】
そのうち、予め構成された前記DCIに対応するフィードバックセットは、RRCシグナリングにより指示され、前記RRCシグナリングは、構成された又はアクティブにされたキャリアを指示するためのキャリア指示ビット、及び、各構成された又はアクティブにされたキャリアに対応する、トリガーされたTPを指示するためのTP指示ビット、又は、構成されたCSIを指示するためのCSI指示ビットを含み；又は、前記RRCシグナリングは、構成された又はアクティブにされたキャリアを指示するためのキャリア指示ビット、及び、各トリガーされたTPに対応する又は各構成されたCSIに対応することを指示するためのキャリア指示ビットを含む；
そのうち、2ビットのDCIに対応するフィードバックセットは、3つ又は2つである。
【０２０７】
本実施例の基地局により、UEのCSIの非周期フィードバックをトリガーすることで、フィードバックの柔軟性と、システムのシグナリングロードとの良い折衷を実現することができる。
【０２０８】
実施例8の方法に対応して、本発明の実施例は更にユーザ装置（UE)を提供し、該UEが問題を解決する原理は、実施例8の方法とは同じであり、その具体的な実施請は、実施例8の方法の実施を参照できるため、重複説明は、省略する。図29は、該UEの構成図であり、図29に示すように、該UEは、次のものを含む。
【０２０９】
受信ユニット291：基地局により送信された2ビットのDCI、及び、RRCシグナリングにより予め構成された前記DCIに対応するフィードバックセットを受信し；
報告ユニット292：前記DCI及び前記DCIに対応するフィードバックセットに基づいて、それ相応のCA及びCoMPのチャネル状態情報の非周期フィードバックを行う。
【０２１０】
そのうち、予め構成された前記DCIに対応するフィードバックセットは、トリガーされた伝送点又は非ゼロパワーのCSI-RSに基づいて分類され；又は、構成されたCSIに基づいて分類される。
【０２１１】
そのうち、予め構成された前記DCIに対応するフィードバックセットは、RRCシグナリングにより指示され、前記RRCシグナリングは、構成された又はアクティブにされたキャリアを指示するためのキャリア指示ビット、及び、各構成された又はアクティブにされたキャリアに対応する、トリガーされたTPを指示するためのTP指示ビット、又は、構成されたCSIを指示するためのCSI指示ビットを含み；又は、前記RRCシグナリングは、構成された又はアクティブにされたキャリアを指示するためのキャリア指示ビット、及び、各トリガーされたTP又は構成されたCSIに対応することを指示するためのキャリア指示ビットを含む。
【０２１２】
そのうち、2ビットのDCIに対応するフィードバックセットは、3つ又は2つである。
【０２１３】
本実施例のUEによれば、基地局からのCSIの非周期フィードバックトリガーにより、フィードバックの柔軟性と、システムのシグナリングロードとの良い折衷を実現することができる。
【０２１４】
実施例9の方法に対応して、本発明の実施例は更に基地局を提供し、該基地局が問題を解決する原理は、実施例9の方法とは同じであり、その具体的な実施は、実施例9の方法の実施を参照できるので、重複説明は、省略する。図30は、該基地局の構成図であり、図30に示すように、該基地局は、次のものを含む。
【０２１５】
送信ユニット3001：UEに、2ビットのDCI及びRRCシグナリングにより予め構成された前記DCIに対応するフィードバックセットを送信し、これにうより、UEは、前記DCI及び前記DCIに対応するフィードバックセットに基づいて、それ相応のCA及びCoMPのチャネル状態情報の非周期フィードバックを行う。
【０２１６】
そのうち、予め構成された前記DCIに対応するフィードバックセットは、トリガーされた伝送点又は非ゼロパワーのCSI-RSに基づいて分類され；又は、構成されたCSIに基づいて分類される。
【０２１７】
そのうち、予め構成された前記DCIに対応するフィードバックセットは、RRCシグナリングにより指示され、前記RRCシグナリングは、トリガーされた非周期フィードバックのキャリアを指示するためのキャリア指示ビット、及び、各トリガーされたキャリアに対応する、トリガーされたTPを指示するためのTP指示ビット、又は、構成されたCSIのCSI指示ビットを含み；又は、前記RRCシグナリングは、トリガーされた非周期フィードバックのキャリアを指示するためのキャリア指示ビット、及び、各トリガーされたTP又は各構成されたCSIに対応することを指示するためのキャリア指示ビットを含む。
【０２１８】
そのうち、2ビットのDCIに対応するフィードバックセットは、3つ又は2つである。
【０２１９】
本実施例の基地局により、UEのCSIの非周期フィードバックをトリガーすることにより、フィードバックの柔軟性と、システムのシグナリングロードとの良い折衷を実現することができる。
【０２２０】
実施例10の方法に対応して、本発明の実施例は更にユーザ装置（UE)を提供し、該UEが問題を解決する原理は、実施例10の方法とは同じであり、その具体的な実施は、実施例10の方法の実施を参照できるため、重複説明は、省略する。図31は、該UEの構成図であり、図31に示すように、該UEは、次のものを含む。
【０２２１】
受信ユニット311：基地局により送信された2ビットのDCI、及び、RRCシグナリングにより予め構成された前記DCIに対応するフィードバックセットを受信し；
報告ユニット312：前記DCI及び前記DCIに対応するフィードバックセットに基づいて、それ相応のCA及びCoMPのチャネル状態情報の非周期フィードバックを行う。
【０２２２】
そのうち、予め構成された前記DCIに対応するフィードバックセットは、トリガーされた伝送点又は非ゼロパワーのCSI-RSに基づいて分類され；又は、構成されたCSIに基づいて分類される。
【０２２３】
そのうち、予め構成された前記DCIに対応するフィードバックセットは、RRCシグナリングにより指示され、前記RRCシグナリングは、トリガーされた非周期フィードバックのキャリアを指示するためのキャリア指示ビット、及び、トリガーされたキャリアに対応する、トリガーされたTPを指示するためのTP指示ビット、又は、構成されたCSIを指示するためのCSI指示ビットを含み；又は、前記RRCシグナリングは、トリガーされた非周期フィードバックのキャリアを指示するためのキャリア指示ビット、及び、各トリガーされたTP又は構成されたCSIに対応するものを指示するためのキャリア指示ビットを含む。
【０２２４】
そのうち、2ビットのDCIに対応するフィードバックセットは、3つ又は2つである。
【０２２５】
本実施例のUEによれば、基地局に基づくCSIの非周期フィードバックのトリガーにより、フィードバックの柔軟性と、システムのシグナリングロードとの良い折衷を実現することができる。
【０２２６】
実施例11の方法に対応して、本発明の実施例は更に基地局を提供し、該基地局が問題を解決する原理は、実施例11の方法とは同じであり、その具体的な実施は、実施例11の方法の実施を参照できるので、重複説明は、省略する。図32は、該基地局の構成図であり、図32に示すように、該基地局は、次のものを含む。
【０２２７】
送信ユニット321：UEに、2ビットのDCI及びRRCシグナリングにより予め構成された前記DCIに対応するフィードバックセットを送信し、これにより、UEは、前記DCI及び前記DCIに対応するフィードバックセットに基づいて、それ相応のCA及びCoMPのチャネル状態情報の非周期フィードバックを行う。
【０２２８】
そのうち、予め構成された前記DCIに対応するフィードバックセットは、トリガーされた伝送点又は非ゼロパワーのCSI-RSに基づいて分類され；又は、構成されたCSIに基づいて分類される。
【０２２９】
そのうち、予め構成された前記DCIに対応するフィードバックセットは、RRCシグナリングにより指示され、前記RRCシグナリングは、トリガーされたキャリアを指示するためのキャリア指示ビット、及び、すべてのトリガーされたキャリアに対応するフィードバック内容を指示するためのTP指示ビット又はCSI指示ビットを含む。
【０２３０】
そのうち、2ビットのDCIに対応するフィードバックセットは、3つ又は2つである。
【０２３１】
本実施例の基地局により、UEのCSIの非周期フィードバックをトリガーすることにより、フィードバックの柔軟性と、システムのシグナリングロードとの良い折衷を実現することができる。
【０２３２】
実施例12の方法に対応して、本発明の実施例は更にユーザ装置（UE)を提供し、該UEが問題を解決する原理は、実施例12の方法とは同じであり、その具体的な実施は、照実施例12の方法の実施を参照できるので、重複説明は、省略する。図33は、該UEの構成図であり、図33に示すように、該UEは、次のものを含む。
【０２３３】
受信ユニット331：基地局により送信された2ビットのDCI及びRRCシグナリングにより予め構成された前記DCIに対応するフィードバックセットを受信し；
報告ユニット332：前記DCI及び前記DCIに対応するフィードバックセットに基づいて、それ相応のCA及びCoMPのチャネル状態情報の非周期フィードバックを行う。
【０２３４】
そのうち、予め構成された前記DCIに対応するフィードバックセットは、トリガーされた伝送点又は非ゼロパワーのCSI-RSに基づいて分類され；又は、構成されたCSIに基づいて分類される。
【０２３５】
そのうち、予め構成された前記DCIに対応するフィードバックセットは、RRCシグナリングにより指示され、前記RRCシグナリングは、トリガーされたキャリアを指示するためのキャリア指示ビット、及び、すべてのトリガーされたキャリアに対応するフィードバック内容を指示するためのTP指示ビット又はCSI指示ビットを含む。
【０２３６】
そのうち、2ビットのDCIに対応するフィードバックセットは、3つ又は2つである。
【０２３７】
本実施例のUEによれば、基地局からのCSIの非周期フィードバックのトリガーにより、フィードバックの柔軟性と、システムのシグナリングロードとの良い折衷を実現することができる。
【０２３８】
実施例13の方法に対応して、本発明の実施例は更に基地局を提供し、該基地局が問題を解決する原理は、実施例13の方法とは同じであり、その具体的な実施は、実施例13の方法の実施を参照できるので、重複説明は、省略する。図34は、該基地局の構成図であり、図34に示すように、該基地局は、次のものを含む。
【０２３９】
送信ユニット341：UEに、1ビットのDCIを送信し、これにより、UEは、前記DCI、及び、予め設定された、前記DCIに対応するフィードバック約定情報に基づいて、それ相応のチャネル状態情報の非周期フィードバックを行う。
【０２４０】
そのうち、予め設定された、前記DCIに対応するフィードバック約定情報は、第１個の非ゼロパワーCSI-RSリソースのすべてのCSIのフィードバック、又は、非周期フィードバックCSIセットのうちの第１個のCSIのフィードバック、又は、トリガーされた非周期フィードバックCSIセットのうちの第１個のCSIのフィードバックである。
【０２４１】
本実施例の基地局により、UEのCSIの非周期フィードバックをトリガーすることにより、フィードバックの柔軟性と、システムのシグナリングロードとの良い折衷を実現することができる。
【０２４２】
実施例14の方法に対応して、本発明の実施例は更にユーザ装置（UE)を提供し、該UEが問題を解決する原理は、実施例14の方法とは同じであり、その具体的な実施は、実施例14の方法の実施を参照できるので、重複説明は、省略する。図35は、該UEの構成図であり、図35に示すように、該UE包括は、次のものを含む。
【０２４３】
受信ユニット351：基地局により送信された1ビットのDCIを受信し;
報告ユニット352：前記DCI、及び、予め設定された、前記DCIに対応するフィードバック約定情報に基づいて、それ相応のチャネル状態情報の非周期フィードバックを行う。
【０２４４】
そのうち、予め設定された、前記DCIに対応するフィードバック約定情報は、第１個の非ゼロパワーCSI-RSのリソースのすべてのCSIのフィードバック、又は、非周期フィードバックCSIセットのうちの第１個のCSIのフィードバック、又は、トリガーされた非周期フィードバックCSIセットのうちの第１個のCSIのフィードバックである。
【０２４５】
本実施例のUEによれば、基地局に基づくCSIの非周期フィードバックのトリガーにより、フィードバックの柔軟性と、システムのシグナリングロードとの良い折衷を実現することができる。
【０２４６】
実施例15の方法に対応して、本発明の実施例は更に基地局を提供し、該基地局が問題を解決する原理は、実施例15の方法とは同じであり、その具体的な実施は、実施例15の方法の実施を参照できるので、重複説明は、省略する。図36は、該基地局の構成図であり、図36に示すように、該基地局は、次のものを含む。
【０２４７】
送信ユニット361：UEに、1ビットのDCI及びRRCシグナリングにより予め構成されたアンカーCSIリソースを送信し、これにより、UEは、前記DCI及び前記アンカーCSIに基づいて、それ相応のチャネル状態情報の非周期フィードバックを行う。
【０２４８】
そのうち、予め構成されたアンカーCSIのリソースは、１つの非ゼロパワーのCSI-RSに対応する少なくとも１つのCSIリソース、又は、非周期フィードバックCSIセットのうちの少なくとも１つのCSIリソースである。
【０２４９】
そのうち、予め構成されたアンカーCSIリソースは、RRCシグナリングにより指示され、前記RRCシグナリングは、前記アンカーCSIリソースを指示するためのlog2(N)個のビット、又は、N個のビット、又は、log2(M)個のビット、又は、M個のビットを含み；そのうち、Nは、CoMP測定セットの大小であり、Mは、基地局が非周期フィードバックのために構成したCSIセットの大小である。そのうち、前記RRCシグナリングがNビット又はMビットにて前記アンカーCSIリソースを指示する時は、ビットマップの形式でその指示を行う。
【０２５０】
本実施例の基地局により、UEのCSIの非周期フィードバックを行うことにより、フィードバックの柔軟性と、システムのシグナリングロードとの良い折衷を実現することができる。
【０２５１】
実施例16の方法に対応して、本発明の実施例は更にユーザ装置（UE)を提供し、該UEが問題を解決する原理は、実施例16の方法とは同じであり、その具体的な実施は、実施例16の方法の実施を参照できるので、重複説明は、省略する。図37は、該UEの構成図であり、図37に示すように、該UEは、次のものを含む。
【０２５２】
受信ユニット371：基地局により送信された1ビットのDCI及び上位層シグナリングにより予め構成されたアンカーCSIリソースを受信し；
報告ユニット372：前記DCI及び前記アンカーCSIリソースに基づいて、対応するチャネル状態情報の非周期フィードバックを行う。
【０２５３】
そのうち、予め構成されたアンカーCSIリソースは、１つの非ゼロパワーのCSI-RSに対応する少なくとも１つのCSIリソース、又は、非周期フィードバックCSIセットのうちの少なくとも１つのCSIリソースである。
【０２５４】
そのうち、予め構成されたアンカーCSIリソースは、RRCシグナリングにより指示され、前記RRCシグナリングは、前記アンカーCSIリソースを指示するためのlog2(N)個のビット、又は、N個のビット、又は、log2(M)個のビット、又は、M個のビットを含み、そのうち、Nは、CoMP測定セットの大小であり、Mは、基地局が非周期フィードバックのために構成したCSIセットの大小である。そのうち、前記RRCシグナリングがNビット又はMビットにより前記アンカーCSIリソースを指示する時は、ビットマップの形式でその指示を行う。
【０２５５】
本実施例のUEによれば、基地局からのCSIの非周期フィードバックのトリガーにより、フィードバックの柔軟性と、システムのシグナリングロードとの良い折衷を実現することができる。
【０２５６】
本発明の実施例は更にコンピュータ可読プログラムを提供し、そのうち、基地局中で該プログラムを実行する時に、該プログラムは、コンピュータに、前記基地局中で実施例1、3、5、7、9、11、13、15に記載のCoMP伝送中の非周期フィードバックのトリガー方法を実行させる。
【０２５７】
本発明の実施例は更にコンピュータ可読プログラムを記憶した記憶媒体を提供し、そのうち、該コンピュータ可読プログラムは、コンピュータに、基地局中で実施例1、3、5、7、9、11、13、15に記載のCoMP伝送中の非周期フィードバックのトリガー方法を実行させる。
【０２５８】
本発明の実施例は更にコンピュータ可読プログラムを提供し、そのうち、端末装置中で該プログラムを実行する時に、該プログラムは、コンピュータに、前記端末装置中で実施例2、4、6、8、10、12、14、16に記載のCoMP伝送中の非周期フィードバックのトリガー方法を実行させる。
【０２５９】
本発明の実施例は更にコンピュータ可読プログラムを記憶した記憶媒体を提供し、そのうち、該コンピュータ可読プログラムは、コンピュータに、端末装置中で実施例2、4、6、8、10、12、14、16に記載のCoMP伝送中の非周期フィードバックのトリガー方法を実行させる。
【０２６０】
本発明の上述のの装置及び方法は、ハードウェアにより実現されてもよく、ハードウェアとソフトウェアとの組み合わせにより実現されてもよい。また、本発明は、このようなコンピュータ可読なプログラムにも関し、即ち、該プログラムは、ロジック部により実行されている時に、該ロジック部に、上述の装置又は構成部品を実現させることができ、又は、該ロジック部に、上述の各種方法又はステップを実現させることができる。本発明は、さらに、上述のプログラムを記録している記憶媒体、例えば、ハードディスク、磁気ディスク、光ディスク、DVD、flashメモリなどにも関する。
【０２６１】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
0006288165.tif 000003
【図２】
0006288165.tif 000004
【図３】
0006288165.tif 000005
【図４】
0006288165.tif 000006
【図５】
0006288165.tif 000007
【図６】
0006288165.tif 000008
【図７】
0006288165.tif 000009
【図８】
0006288165.tif 000010
【図９】
0006288165.tif 000011
【図１０】
0006288165.tif 000012
【図１１】
0006288165.tif 000013
【図１２】
0006288165.tif 000014
【図１３】
0006288165.tif 000015
【図１４】
0006288165.tif 000016
【図１５】
0006288165.tif 000017
【図１６】
0006288165.tif 000018
【図１７】
0006288165.tif 000019
【図１８】
0006288165.tif 000020
【図１９】
0006288165.tif 000021
【図２０】
0006288165.tif 000022
【図２１】
0006288165.tif 000023
【図２２】
0006288165.tif 000024
【図２３】
0006288165.tif 000025
【図２４】
0006288165.tif 000026
【図２５】
0006288165.tif 000027
【図２６】
0006288165.tif 000028
【図２７】
0006288165.tif 000029
【図２８】
0006288165.tif 000030
【図２９】
0006288165.tif 000031
【図３０】
0006288165.tif 000032
【図３１】
0006288165.tif 000033
【図３２】
0006288165.tif 000034
【図３３】
0006288165.tif 000035
【図３４】
0006288165.tif 000036
【図３５】
0006288165.tif 000037
【図３６】
0006288165.tif 000038
【図３７】
0006288165.tif 000039